(57)【要約】【課題】本発明は、コンテンツデータを容易に取得させる。【解決手段】本発明は、データ転送装置３１が取得側形式情報に基づき、データ取得装置３２Ａ乃至３２Ｎでコンテンツデータを取得可能な複数の転送形式の形式名称を表示部に表示させて所望の転送形式を選択させ、選択された転送形式を示す選択形式情報を装置識別情報と対応付けて記憶し、以降、データ取得装置３２Ａ乃至３２Ｎと接続すると装置識別情報に対応する選択形式情報が示す転送形式でコンテンツデータをデータ取得装置３２Ａ乃至３２Ｎに転送する。よってデータ取得装置３２Ａ乃至３２Ｎでコンテンツデータを取得可能な複数の転送形式の中から所望の転送形式を１度選択させ、以降は何ら選択させずにデータ転送装置３１から所望の転送形式でコンテンツデータを転送してデータ取得装置３２Ａ乃至３２Ｎに取得させ、コンテンツデータを容易に取得させることができる。【選択図】図１１
2009069916.tif 000002
【特許請求の範囲】
【請求項１】
複数の転送形式でコンテンツデータを転送可能なデータ転送装置と、複数の上記転送形式で上記コンテンツデータを取得可能なデータ取得装置とから構築されたデータ転送取得システムであって、
上記データ取得装置は、
上記コンテンツデータを記憶する取得側データ記憶部と、
装置識別情報を記憶する識別情報記憶部と、
上記コンテンツデータを取得可能な複数の上記転送形式を示す取得側形式情報を記憶する形式情報記憶部と、
上記データ転送装置と通信するための取得側通信部と、
上記データ転送装置において上記取得側形式情報に基づき上記コンテンツデータを取得可能な複数の上記転送形式の形式名称を表示部に表示させて当該複数の上記転送形式の中から所望の上記転送形式を選択させ、当該選択された上記転送形式を示す選択形式情報を上記装置識別情報と対応付けて記憶させるために、上記取得側通信部により上記装置識別情報及び上記取得側形式情報を上記データ転送装置に送信し、上記選択形式情報が記憶された以降に上記データ転送装置と接続すると、上記取得側通信部により上記装置識別情報を上記データ転送装置に送信して、当該データ転送装置から上記装置識別情報に対応する上記選択形式情報が示す上記転送形式で転送された上記コンテンツデータを上記取得側通信部によって受信して上記取得側データ記憶部に記憶する取得側制御部と
を具え、
上記データ転送装置は、
上記コンテンツデータを記憶する転送側データ記憶部と、
上記データ取得装置で上記コンテンツデータを取得可能な複数の上記転送形式の中から所望の当該転送形式を選択するために用いられる選択部と、
上記選択部を介して選択される上記転送形式を示す選択形式情報と、上記装置識別情報とを対応付けて記憶する設定情報記憶部と、
上記データ取得装置と通信するための転送側通信部と、
上記データ取得装置から送信された上記装置識別情報及び上記取得側形式情報を上記転送側通信部によって受信して、当該受信した上記取得側形式情報に基づき、上記データ取得装置で上記コンテンツデータを取得可能な複数の上記転送形式の形式名称を上記表示部に表示させて当該複数の上記転送形式の中から上記選択部を介して所望の上記転送形式を選択させるようにし、上記選択部を介して選択された上記転送形式を示す上記選択形式情報を、上記受信した上記装置識別情報と対応付けて上記設定情報記憶部に記憶し、当該選択形式情報を記憶した以降に上記データ取得装置と接続すると、当該データ取得装置から送信された上記装置識別情報を上記転送側通信部によって受信して上記設定情報記憶部から、上記受信した上記装置識別情報に対応する上記選択形式情報を読み出すと共に、上記転送側通信部により、当該読み出した上記選択形式情報が示す上記転送形式で上記コンテンツデータを上記データ取得装置に転送する転送側制御部と
を具えることを特徴とするデータ転送取得システム。
【請求項２】
上記データ取得装置は、
所定のデータフォーマットの上記コンテンツデータを再生する再生部
を具え、
上記データ転送装置は、
上記コンテンツデータを転送可能な複数の上記転送形式それぞれを示す転送側形式情報と、上記データ取得装置が当該転送形式で取得する再生可能な上記コンテンツデータの上記データフォーマットを示すフォーマット情報とを対応付けて形式リストとして記憶するリスト記憶部
を具え、
上記転送側制御部は、
上記転送側データ記憶部に対し、複数の上記データフォーマットの複数の上記コンテンツデータを記憶し、上記データ取得装置に上記コンテンツデータを転送するとき、上記リスト記憶部に記憶している上記形式リストに基づき、上記選択形式情報が示す上記転送形式に対応する上記データフォーマットの上記コンテンツデータに関連する関連情報を上記表示部に表示する
ことを特徴とする請求項１に記載のデータ転送取得システム。
【請求項３】
上記転送側制御部は、
上記データ取得装置から送信された上記装置識別情報及び上記取得側形式情報を上記転送側通信部によって受信したとき、当該受信した上記取得側形式情報に基づき、上記データ取得装置で上記コンテンツデータを取得可能な複数の上記転送形式の上記形式名称を、上記データ取得装置が当該転送形式で取得可能な上記コンテンツデータの数が多い順に並べて上記表示部に表示させる
ことを特徴とする請求項１に記載のデータ転送取得システム。
【請求項４】
複数の転送形式でコンテンツデータを取得可能なデータ取得装置に上記転送形式で上記コンテンツデータを転送するデータ転送装置であって、
上記コンテンツデータを記憶するデータ記憶部と、
上記データ取得装置で上記コンテンツデータを取得可能な複数の上記転送形式の中から所望の当該転送形式を選択するために用いられる選択部と、
上記選択部を介して選択される上記転送形式を示す選択形式情報と、上記データ取得装置の装置識別情報とを対応付けて記憶する設定情報記憶部と、
上記データ取得装置と通信するための通信部と、
上記データ取得装置から送信された上記装置識別情報、及び当該データ取得装置で上記コンテンツデータを取得可能な複数の上記転送形式を示す取得側形式情報を上記通信部によって受信して、当該受信した上記取得側形式情報に基づき、上記データ取得装置で上記コンテンツデータを取得可能な複数の上記転送形式の形式名称を表示部に表示させて当該複数の上記転送形式の中から上記選択部を介して所望の上記転送形式を選択させるようにし、上記選択部を介して選択された上記転送形式を示す上記選択形式情報を、上記受信した上記装置識別情報と対応付けて上記設定情報記憶部に記憶し、当該選択形式情報を記憶した以降に上記データ取得装置と接続すると、当該データ取得装置から送信された上記装置識別情報を上記通信部によって受信して上記設定情報記憶部から、上記受信した上記装置識別情報に対応する上記選択形式情報を読み出すと共に、上記通信部により、当該読み出した上記選択形式情報が示す上記転送形式で上記コンテンツデータを上記データ取得装置に転送する制御部と
を具えることを特徴とするデータ転送装置。
【請求項５】
上記コンテンツデータを転送する複数の上記転送形式それぞれを示す転送形式情報と、上記データ取得装置が当該転送形式で取得する再生可能な上記コンテンツデータのデータフォーマットを示すフォーマット情報とを対応付けて形式リストとして記憶するリスト記憶部
を具え、
上記制御部は、
上記データ記憶部に対し、複数の上記データフォーマットの複数の上記コンテンツデータを記憶し、上記データ取得装置に上記コンテンツデータを転送するとき、上記リスト記憶部に記憶している上記形式リストに基づき、上記選択形式情報が示す上記転送形式に対応する上記データフォーマットの上記コンテンツデータに関連する関連情報を上記表示部に表示する
ことを特徴とする請求項４に記載のデータ転送装置。
【請求項６】
上記制御部は、
上記データ取得装置から送信された上記装置識別情報及び上記取得側形式情報を上記通信部によって受信したとき、当該受信した上記取得側形式情報に基づき、上記データ取得装置で上記コンテンツデータを取得可能な複数の上記転送形式の上記形式名称を、上記データ取得装置において当該転送形式で取得可能な上記コンテンツデータの数が多い順に並べて上記表示部に表示させる
ことを特徴とする請求項４に記載のデータ転送装置。
【請求項７】
複数の転送形式でコンテンツデータを転送可能なデータ転送装置から複数の上記転送形式で上記コンテンツデータを取得可能なデータ取得装置であって、
上記コンテンツデータを記憶するデータ記憶部と、
装置識別情報を記憶する識別情報記憶部と、
上記コンテンツデータを取得可能な複数の上記転送形式を示す取得側形式情報を記憶する形式情報記憶部と、
上記データ転送装置と通信するための通信部と、
上記データ転送装置において上記取得側形式情報に基づき上記コンテンツデータを取得可能な複数の上記転送形式の形式名称を表示部に表示させて当該複数の上記転送形式の中から所望の上記転送形式を選択させ、当該選択された上記転送形式を示す選択形式情報を上記装置識別情報と対応付けて記憶させるために、上記通信部により上記装置識別情報及び上記取得側形式情報を上記データ転送装置に送信し、上記選択形式情報が記憶された以降に上記データ転送装置と接続すると、上記通信部により上記装置識別情報を上記データ転送装置に送信して、当該データ転送装置から上記装置識別情報に対応する上記選択形式情報が示す上記転送形式で転送された上記コンテンツデータを上記通信部によって受信して上記データ記憶部に記憶する制御部と
を具えることを特徴とするデータ取得装置。
【請求項８】
複数の転送形式でコンテンツデータを取得可能なデータ取得装置に対して上記転送形式で上記コンテンツデータを転送するデータ転送方法であって、
上記データ取得装置から送信された装置識別情報、及び当該データ取得装置で上記コンテンツデータを取得可能な複数の上記転送形式を示す取得側形式情報を受信して、当該受信した上記取得側形式情報に基づき、上記データ取得装置で上記コンテンツデータを取得可能な複数の上記転送形式の形式名称を表示部に表示させて当該複数の上記転送形式の中から選択部を介して所望の上記転送形式を選択させるようにし、上記選択部を介して選択された上記転送形式を示す選択形式情報を、上記受信した上記装置識別情報と対応付けて設定情報記憶部に記憶する記憶ステップと、
上記選択形式情報を記憶した以降に上記データ取得装置と接続すると、当該データ取得装置から送信された上記装置識別情報を受信して上記設定情報記憶部から、上記受信した上記装置識別情報に対応する上記選択形式情報を読み出すと共に、当該読み出した上記選択形式情報が示す上記転送形式で上記コンテンツデータを上記データ取得装置に転送する転送ステップと
を具えることを特徴とするデータ転送方法。
【請求項９】
複数の転送形式でコンテンツデータを転送可能なデータ転送装置から転送された上記コンテンツデータを取得するデータ取得方法であって、
上記データ転送装置において、上記コンテンツデータを取得可能な複数の上記転送形式を示す取得側形式情報に基づき当該複数の上記転送形式の形式名称を表示部に表示させて当該複数の上記転送形式の中から所望の上記転送形式を選択させ、当該選択された上記転送形式を示す選択形式情報を装置識別情報と対応付けて記憶させるために、上記データ転送装置に上記装置識別情報及び上記取得側形式情報を送信する送信ステップと、
上記選択形式情報が記憶された以降に上記データ転送装置と接続すると、当該データ転送装置に上記装置識別情報を送信して、当該データ転送装置から上記装置識別情報に対応する上記選択形式情報が示す上記転送形式で転送された上記コンテンツデータを受信してデータ記憶部に記憶する記憶ステップと
を具えることを特徴とするデータ取得方法。
【請求項１０】
コンピュータに対して、
複数の転送形式で転送されるコンテンツデータを取得可能なデータ取得装置から送信された装置識別情報、及び当該データ取得装置で上記コンテンツデータを取得可能な複数の上記転送形式を示す取得側形式情報を受信して、当該受信した上記取得側形式情報に基づき、上記データ取得装置で上記コンテンツデータを取得可能な複数の上記転送形式の形式名称を表示部に表示させて当該複数の上記転送形式の中から選択部を介して所望の上記転送形式を選択させるようにし、上記選択部を介して選択された上記転送形式を示す選択形式情報を、上記受信した上記装置識別情報と対応付けて設定情報記憶部に記憶する記憶ステップと、
上記選択形式情報を記憶した以降に上記データ取得装置と接続すると、当該データ取得装置から送信された上記装置識別情報を受信して上記設定情報記憶部から、上記受信した上記装置識別情報に対応する上記選択形式情報を読み出すと共に、当該読み出した上記選択形式情報が示す上記転送形式で上記コンテンツデータを上記データ取得装置に転送する転送ステップと
を実行させるためのデータ転送プログラム。
【請求項１１】
コンピュータに対して、
複数の転送形式でコンテンツデータを転送可能なデータ転送装置において、上記コンテンツデータを取得可能な複数の上記転送形式を示す取得側形式情報に基づき当該複数の上記転送形式の形式名称を表示部に表示させて当該複数の上記転送形式の中から所望の上記転送形式を選択させ、当該選択された上記転送形式を示す選択形式情報を装置識別情報と対応付けて記憶させるために、上記データ転送装置に上記装置識別情報及び上記取得側形式情報を送信する送信ステップと、
上記選択形式情報が記憶された以降に上記データ転送装置と接続すると、当該データ転送装置に上記装置識別情報を送信して、当該データ転送装置から上記装置識別情報に対応する上記選択形式情報が示す上記転送形式で転送された上記コンテンツデータを受信してデータ記憶部に記憶する記憶ステップと
を実行させるためのデータ取得プログラム。
【発明の詳細な説明】
【技術分野】
【０００１】
本発明はデータ転送取得システム、データ転送装置、データ転送方法、データ転送プログラム、データ取得装置、データ取得方法及びデータ取得プログラムに関し、例えばコンテンツデータを複数の転送形式で転送可能なデータ転送取得システムに適用して好適なものである。
【背景技術】
【０００２】
従来、コンテンツデータのデータフォーマットとしては、複数のものが規格化されている。これに伴い、端末としても、再生可能なコンテンツデータのデータフォーマットが異なる複数のものが広く普及している。
【０００３】
そして従来のサービス提供システムは、複数の端末がそれぞれ当該端末で再生可能なコンテンツデータのデータフォーマットを示す端末属性情報を配信サーバに送信している。
【０００４】
そしてサービス提供システムは、配信サーバが端末属性情報により端末で再生可能なコンテンツデータのデータフォーマットを特定し、当該端末で再生可能なデータフォーマットのコンテンツデータを配信していた（例えば、特許文献１参照）。
【特許文献１】特開２００５−７０９２４公報
【発明の開示】
【発明が解決しようとする課題】
【０００５】
ところで、近年、コンテンツデータの種々のデータフォーマットのみならず、コンテンツデータの転送形式についても種々のものが規格化されている。
【０００６】
これに伴い、コンテンツデータの転送形式が異なる複数のデータ転送装置や、コンテンツデータを取得可能な転送形式が異なる複数のデータ取得装置が広く普及している。
【０００７】
また、最近では、データ転送装置として、複数の転送形式でコンテンツデータを転送可能にするようなものも提案されている。
【０００８】
さらに、最近、データ取得装置としても、複数の転送形式で転送されるコンテンツデータを取得可能にすることで、異なる転送形式でコンテンツデータを転送する複数のデータ転送装置からそれぞれコンテンツデータを取得するようなものが提案されている。
【０００９】
そして、最近では、従来のサービス提供システムのように、複数の転送形式でコンテンツデータを転送可能なデータ転送装置から、複数の転送形式で転送されるコンテンツデータを取得可能な複数のデータ取得装置に対しそれぞれ取得可能な転送形式でコンテンツデータを転送するようなデータ転送取得システムが提案されている。
【００１０】
ところが、かかるデータ転送取得システムでは、コンテンツ取得装置が複数の転送形式で転送されるコンテンツデータを取得可能であるために、データ転送装置からコンテンツ取得装置にコンテンツデータを転送する毎に、ユーザに対しコンテンツ取得装置の複数の転送形式の中からコンテンツデータを取得するための所望の転送形式を選択させる必要がある。
【００１１】
このため、かかるデータ転送取得システムでは、複数の転送形式で転送されるコンテンツデータを取得可能なデータ取得装置によりコンテンツデータを容易には取得させ難いという問題があった。
【００１２】
本発明は以上の点を考慮してなされたもので、コンテンツデータを容易に取得させ得るデータ転送取得システム、データ転送装置、データ転送方法、データ転送プログラム、データ取得装置、データ取得方法及びデータ取得プログラムを提案しようとするものである。
【課題を解決するための手段】
【００１３】
かかる課題を解決するため本発明においては、複数の転送形式でコンテンツデータを転送可能なデータ転送装置と、複数の転送形式でコンテンツデータを取得可能なデータ取得装置とから構築されたデータ転送取得システムにおいて、データ取得装置に対し、コンテンツデータを記憶する取得側データ記憶部と、装置識別情報を記憶する識別情報記憶部と、コンテンツデータを取得可能な複数の転送形式を示す取得側形式情報を記憶する形式情報記憶部と、データ転送装置と通信するための取得側通信部と、データ転送装置において取得側形式情報に基づきコンテンツデータを取得可能な複数の転送形式の形式名称を表示部に表示させて当該複数の転送形式の中から所望の転送形式を選択させ、当該選択された転送形式を示す選択形式情報を装置識別情報と対応付けて記憶させるために、取得側通信部により装置識別情報及び取得側形式情報をデータ転送装置に送信し、選択形式情報が記憶された以降にデータ転送装置と接続すると、取得側通信部により装置識別情報をデータ転送装置に送信して、当該データ転送装置から装置識別情報に対応する選択形式情報が示す転送形式で転送されたコンテンツデータを取得側通信部によって受信して取得側データ記憶部に記憶する取得側制御部とを設けるようにし、データ転送装置に対し、コンテンツデータを記憶する転送側データ記憶部と、データ取得装置でコンテンツデータを取得可能な複数の転送形式の中から所望の当該転送形式を選択するために用いられる選択部と、選択部を介して選択される転送形式を示す選択形式情報と、装置識別情報とを対応付けて記憶する設定情報記憶部と、データ取得装置と通信するための転送側通信部と、データ取得装置から送信された装置識別情報及び取得側形式情報を転送側通信部によって受信して、当該受信した取得側形式情報に基づき、データ取得装置でコンテンツデータを取得可能な複数の転送形式の形式名称を表示部に表示させて当該複数の転送形式の中から選択部を介して所望の転送形式を選択させるようにし、選択部を介して選択された転送形式を示す選択形式情報を、受信した装置識別情報と対応付けて設定情報記憶部に記憶し、当該選択形式情報を記憶した以降にデータ取得装置と接続すると、当該データ取得装置から送信された装置識別情報を転送側通信部によって受信して設定情報記憶部から、受信した装置識別情報に対応する選択形式情報を読み出すと共に、転送側通信部により、当該読み出した選択形式情報が示す転送形式でコンテンツデータをデータ取得装置に転送する転送側制御部とを設けるようにした。
【００１４】
従って本発明では、データ取得装置でコンテンツデータを取得可能な複数の転送形式の中から所望の転送形式を１度選択させるだけで、その選択以降は転送形式を何ら選択させることなく、データ転送装置から所望の転送形式でコンテンツデータを転送してデータ取得装置に取得させることができる。
【発明の効果】
【００１５】
本発明によれば、複数の転送形式でコンテンツデータを転送可能なデータ転送装置と、複数の転送形式でコンテンツデータを取得可能なデータ取得装置とから構築されたデータ転送取得システムにおいて、データ取得装置に対し、コンテンツデータを記憶する取得側データ記憶部と、装置識別情報を記憶する識別情報記憶部と、コンテンツデータを取得可能な複数の転送形式を示す取得側形式情報を記憶する形式情報記憶部と、データ転送装置と通信するための取得側通信部と、データ転送装置において取得側形式情報に基づきコンテンツデータを取得可能な複数の転送形式の形式名称を表示部に表示させて当該複数の転送形式の中から所望の転送形式を選択させ、当該選択された転送形式を示す選択形式情報を装置識別情報と対応付けて記憶させるために、取得側通信部により装置識別情報及び取得側形式情報をデータ転送装置に送信し、選択形式情報が記憶された以降にデータ転送装置と接続すると、取得側通信部により装置識別情報をデータ転送装置に送信して、当該データ転送装置から装置識別情報に対応する選択形式情報が示す転送形式で転送されたコンテンツデータを取得側通信部によって受信して取得側データ記憶部に記憶する取得側制御部とを設けるようにし、データ転送装置に対し、コンテンツデータを記憶する転送側データ記憶部と、データ取得装置でコンテンツデータを取得可能な複数の転送形式の中から所望の当該転送形式を選択するために用いられる選択部と、選択部を介して選択される転送形式を示す選択形式情報と、装置識別情報とを対応付けて記憶する設定情報記憶部と、データ取得装置と通信するための転送側通信部と、データ取得装置から送信された装置識別情報及び取得側形式情報を転送側通信部によって受信して、当該受信した取得側形式情報に基づき、データ取得装置でコンテンツデータを取得可能な複数の転送形式の形式名称を表示部に表示させて当該複数の転送形式の中から選択部を介して所望の転送形式を選択させるようにし、選択部を介して選択された転送形式を示す選択形式情報を、受信した装置識別情報と対応付けて設定情報記憶部に記憶し、当該選択形式情報を記憶した以降にデータ取得装置と接続すると、当該データ取得装置から送信された装置識別情報を転送側通信部によって受信して設定情報記憶部から、受信した装置識別情報に対応する選択形式情報を読み出すと共に、転送側通信部により、当該読み出した選択形式情報が示す転送形式でコンテンツデータをデータ取得装置に転送する転送側制御部とを設けるようにしたことにより、データ取得装置でコンテンツデータを取得可能な複数の転送形式の中から所望の転送形式を１度選択させるだけで、その選択以降は転送形式を何ら選択させることなく、データ転送装置から所望の転送形式でコンテンツデータを転送してデータ取得装置に取得させることができ、かくしてコンテンツデータを容易に取得させ得るデータ転送取得システム、データ転送装置、データ転送方法、データ転送プログラム、データ取得装置、データ取得方法及びデータ取得プログラムを実現することができる。
【発明を実施するための最良の形態】
【００１６】
以下図面について、本発明の一実施の形態を詳述する。
【００１７】
（１）データ転送取得システムの概要
図１において、１は全体として本発明によるデータ転送取得システムの構成の概要を示す。
【００１８】
かかるデータ転送取得システム１は、複数の転送形式でコンテンツデータを転送可能なデータ転送装置２と、複数の転送形式でコンテンツデータを取得可能なデータ取得装置３とから構築されている。
【００１９】
データ取得装置３において取得側データ記憶部１０は、コンテンツデータを記憶する。またデータ取得装置３において識別情報記憶部１１は、装置識別情報を記憶している。
【００２０】
さらにデータ取得装置３において形式情報記憶部１２は、コンテンツデータを取得可能な複数の転送形式を示す取得側形式情報を記憶している。
【００２１】
さらにデータ取得装置３において取得側通信部１３は、データ転送装置２と通信するためのものである。
【００２２】
さらにデータ取得装置３において取得側制御部１４は、データ転送装置２において取得側形式情報に基づきコンテンツデータを取得可能な複数の転送形式の形式名称を表示部（図示せず）に表示させて当該複数の転送形式の中から所望の転送形式を選択させ、当該選択された転送形式を示す選択形式情報を装置識別情報と対応付けて記憶させるために、取得側通信部１３により装置識別情報及び取得側形式情報をデータ転送装置２に送信する。
【００２３】
そしてデータ取得装置３において取得側制御部１４は、選択形式情報記憶された以降にデータ転送装置２と接続すると、取得側通信部１３により装置識別情報をデータ転送装置２に送信して、当該データ転送装置２から装置識別情報に対応する選択形式情報が示す転送形式で転送されたコンテンツデータを取得側通信部１３によって受信して取得側データ記憶部１０に記憶する。
【００２４】
一方、データ転送装置２において転送側データ記憶部１５は、コンテンツデータを記憶している。
【００２５】
またデータ転送装置２において選択部１６は、データ取得装置３でコンテンツデータを取得可能な複数の転送形式の中から所望の当該転送形式を選択するために用いられる。
【００２６】
さらにデータ転送装置２において設定情報記憶部１７は、選択部１６を介して選択される転送形式を示す選択形式情報と、装置識別情報とを対応付けて記憶する。
【００２７】
さらにデータ転送装置２において転送側通信部１８は、データ取得装置３と通信するためのものである。
【００２８】
さらにデータ転送装置２において転送側制御部１９は、データ取得装置３から送信された装置識別情報及び取得側形式情報を転送側通信部１８によって受信して、当該受信した取得側形式情報に基づき、データ取得装置３でコンテンツデータを取得可能な複数の転送形式の形式名称を表示部に表示させて当該複数の転送形式の中から選択部１６を介して所望の転送形式を選択させるようにする。
【００２９】
因みに、表示部については、データ転送装置２に設けることもできるし、データ転送装置２の外部のものを利用することもできる。
【００３０】
その結果、データ転送装置２において転送側制御部１９は、選択部１６を介して選択された転送形式を示す選択形式情報を、受信した装置識別情報と対応付けて設定情報記憶部１７に記憶する。
【００３１】
そしてデータ転送装置２において転送側制御部１９は、選択形式情報を記憶した以降にデータ取得装置３と接続すると、当該データ取得装置３から送信された装置識別情報を転送側通信部１８によって受信して設定情報記憶部１７から、受信した装置識別情報に対応する選択形式情報を読み出すと共に、転送側通信部１８により、当該読み出した選択形式情報が示す転送形式でコンテンツデータをデータ取得装置３に転送する。
【００３２】
かかる構成によりデータ転送取得システム１は、データ取得装置３でコンテンツデータを取得可能な複数の転送形式の中から所望の転送形式を１度選択させるだけで、その選択以降は転送形式を何ら選択させることなく、データ転送装置２から所望の転送形式でコンテンツデータを転送してデータ取得装置３に取得させることができる。よってデータ転送取得システム１は、コンテンツデータを容易に取得させることができる。
【００３３】
（２）第１の実施の形態
図２において、３０は全体として第１の実施の形態によるデータ転送取得システムを示す。
【００３４】
かかるデータ転送取得システム３０は、１台のデータ転送装置３１に対し、複数種類のデータ取得装置３２Ａ乃至３２Ｎそれぞれを、所定の接続規格に準じて例えばケーブルを介して接続し得るようになされている。
【００３５】
この場合、データ転送装置３１は、コンテンツデータとして、ＰＣＭ（Pulse  Code  Modulation）、ＡＴＲＡＣ（Adaptive  Transform  Acoustic  Coding）、ＷＭＡ（Windows（登録商標）  Media  Audio）、ＭＰ３（MPEG  Audio  Layer-3）等のような種々のデータフォーマットの音楽データを記憶している。
【００３６】
そしてデータ転送装置３１は、ＭＴＰ（Media  Transfer  Protocol）、ＡＡＤ（ATRAC  Audio  Device）、ＭＳＣ（Mass  Storage  Class）等のような音楽データの転送に利用可能な複数の規格（以下、これを転送利用規格とも呼ぶ）に準じた複数の転送形式で音楽データを転送し得るようになされている。
【００３７】
ここで、転送形式としては、例えば転送利用規格に準じて音楽データ転送用のプロトコルや、当該音楽データの転送に利用するコンテナのフォーマットを規定しているものがある。また転送形式としては、転送利用規格に準じて、音楽データをコンテナとしマスストレージクラスを利用して転送するように規定しているもの等もある。
【００３８】
また、データ取得装置３２Ａ乃至３２Ｎは、携帯型電話機や携帯型再生装置、携帯型ゲーム機等でなり、それぞれデータ転送装置３１で音楽データを転送可能な転送形式と同一な少なくとも何れか２つ以上の転送形式で音楽データを取得し得るようになされている。
【００３９】
すなわち、データ取得装置３２Ａ乃至３２Ｎは、これら転送形式で転送される音楽データを受信したとき、単に記憶するのではなく、転送形式の規定に従い当該音楽データを記憶しデータベースへの登録等によって自己で管理するようにして利用可能な状態している。
【００４０】
そして、データ取得装置３２Ａ乃至３２Ｎでは、このように音楽データを受信して利用可能な状態にすることを取得と呼ぶ。
【００４１】
このようにしてデータ転送取得システム３０では、データ転送装置３１からデータ取得装置３２Ａ乃至３２Ｎへ音楽データを転送して取得させ、かくしてデータ取得装置３２Ａ乃至３２Ｎにおいて、その音楽データを再生させて音楽をユーザに聴かせることができる。
【００４２】
ところでデータ取得装置３２Ａ乃至３２Ｎは、その種類や機種毎に、音楽データを取得可能な複数の転送形式が任意に選定されている。
【００４３】
またデータ取得装置３２Ａ乃至３２Ｎは、音楽データを取得可能な転送形式毎に、当該転送形式で取得した音楽データを異なる形態で管理している。
【００４４】
次いで、図３を用いて、データ転送装置３１の機能回路ブロックによる詳細なハードウェア構成について説明する。
【００４５】
かかるデータ転送装置３１において制御部４０は、複数の操作キー等でなる操作部４１へのユーザ操作によって各種命令が入力されると、当該入力された各種命令に応じて装置全体を制御すると共に、各種処理を実行する。
【００４６】
これにより制御部４０は、データ転送装置３１に装填されるＣＤ（Compact  Disc）等のメディアから音楽データを再生するメディア再生機能、当該メディアに記録されている音楽データを録音する録音機能を実現する。
【００４７】
また制御部４０は、ネットワーク上のデータ提供装置（図示せず）から音楽データを購入する音楽購入機能、録音や購入により取得した音楽データを再生する取得音楽再生機能、音楽データをデータ取得装置３２Ａ乃至３２Ｎに転送する転送機能等の各種機能を実現する。
【００４８】
実際に制御部４０は、ユーザにより操作部４１を介してメディア再生機能を選択する機能選択命令が入力されると、これに応じてメディア再生機能を実行する。
【００４９】
この場合、制御部４０は、データ転送装置３１に装填されたメディアから、再生部４２により音楽データを再生させて音楽として出力させる。
【００５０】
このようにして制御部４０は、ユーザに対しメディアから再生した音楽を聴かせることができる。
【００５１】
また制御部４０は、ユーザにより操作部４１を介して録音機能を選択する機能選択命令が入力されると、これに応じて録音機能を実行する。
【００５２】
この場合、制御部４０は、データ転送装置３１に装填されたメディアから、再生部４２により音楽データを読み出させて、そのまま又は圧縮符号化させた後、データ記憶部４３に送出する。
【００５３】
これにより制御部４０は、データ記憶部４３に対し、上述したＰＣＭやＡＴＲＡＣ等のデータフォーマットの音楽データを記憶する。
【００５４】
ところで制御部４０は、このような録音時、音楽データ毎の音楽関連情報を要求する関連要求情報をネットワーク通信部４４によりネットワーク上の関連情報提供装置（図示せず）に送信する。
【００５５】
その結果、制御部４０は、関連情報提供装置から送信された音楽関連情報をネットワーク通信部４４によって受信して取り込むと、その音楽関連情報をデータ記憶部４３に送出する。
【００５６】
これにより制御部４０は、データ記憶部４３に対し音楽関連情報を音楽データと対応付けて記憶する。
【００５７】
因みに音楽関連情報は、対応する音楽データに基づく音楽の音楽タイトル、アーティスト名、その音楽が収録されたアルバムのアルバムタイトル、当該音楽データ全体の再生時間を含んでいる。
【００５８】
また音楽関連情報は、対応する音楽データに基づく音楽が収録されたアルバムのジャケット写真の画像データ（以下、これをジャケット写真画像データと呼ぶ）をネットワークで個別に識別して取得可能にするネットワークアドレス等も含んでいる。
【００５９】
さらに制御部４０は、ユーザにより操作部４１を介して音楽購入機能を選択する機能選択命令が入力されると、これに応じて音楽購入機能を実行する。
【００６０】
この場合、制御部４０は、ユーザにより指定された音楽データを購入要求する音楽購入要求情報をネットワーク通信部４４によりネットワーク上のデータ提供装置に送信する。
【００６１】
その結果、制御部４０は、データ提供装置から音楽データの購入に対する課金処理が完了して、当該音楽データと、対応する音楽関連情報とが送信されると、これらをネットワーク通信部４４によって受信して取り込みデータ記憶部４３に送出する。
【００６２】
これにより制御部４０は、データ記憶部４３に、その音楽データと音楽関連情報とを対応付けて記憶する。このようにして制御部４０は、データ提供装置から音楽データを購入してデータ記憶部４３に記憶保持することができる。
【００６３】
さらに制御部４０は、ユーザにより操作部４１を介して取得音楽再生機能を選択する機能選択命令が入力されると、これに応じて取得音楽再生機能を実行する。
【００６４】
この場合、制御部４０は、データ記憶部４３からユーザにより指定された音楽データを読み出して再生部４２に送出する。
【００６５】
そして制御部４０は、再生部４２により、その音楽データを復号処理やデジタルアナログ変換処理等のように再生処理させて音楽として出力させる。
【００６６】
これにより制御部４０は、ユーザに対し、データ記憶部４３に記憶していた種々の音楽データを音楽として聴かせることができる。
【００６７】
ところで制御部４０は、ユーザにより再生対象の音楽データが指定されたときには、データ記憶部４３から、当該指定された音楽データと共に、その音楽データに対応する音楽関連情報も読み出している。
【００６８】
そして制御部４０は、例えば音楽関連情報に含まれるネットワークアドレスをもとに、ジャケット写真画像データを要求する画像要求情報をネットワーク通信部４４によりネットワーク上の画像提供装置（例えば、データ提供装置の場合もある）に送信する。
【００６９】
その結果、制御部４０は、画像提供装置からジャケット写真画像データが返信されると、これをネットワーク通信部４４によって受信して取り込む。
【００７０】
また制御部４０は、例えばデータ提供装置が定期的に配信している提示情報をネットワーク通信部４４によって受信して取り込み、データ記憶部４３に記憶している。
【００７１】
そして制御部４０は、音楽関連情報に含まれるネットワークアドレス以外の種々の情報と共に、そのジャケット写真画像データや提示情報を用いて再生画面データを生成し、当該生成した再生画面データを表示部４５に送出する。
【００７２】
これにより制御部４０は、表示部４５に対し再生画面データに基づく図４に示すような再生画面５０を表示する。
【００７３】
この場合、再生画面５０には、現在再生中の音楽データに対応する音楽タイトル５１、アーティスト名５２、データ記憶部４３への記憶日時５３、ジャケット写真画像データに基づくジャケット写真画像５４、音楽データの再生時間５５が表示されている。
【００７４】
また再生画面５０には、例えば画面垂直方向に沿って画面下側に、データ提供装置の提供している提示情報５６が表示されている。
【００７５】
因みに、かかる提示情報５６としては、例えば季節、時期、イベント等に応じて音楽を紹介するような情報や、情報提供側が推薦する音楽を紹介するような情報がある。
【００７６】
また提示情報５６としては、特定のアーティストによる新たなシングル及びアルバムのリリースを通知するようなニュース、週や月のような特定期間に販売数の多かった上位所定数の音楽データを紹介するような情報等もある。
【００７７】
このように制御部４０は、音楽データの再生の間、表示部４５に再生画面５０を表示することにより、現在再生中の音楽データに関する種々の情報を提示し得ると共に、データ提供装置の配信している提示情報５６も合わせて提示し得るようになされている。
【００７８】
かかる構成に加えて制御部４０は、データ転送装置３１にケーブルを介して外部のデータ取得装置３２Ａ乃至３２Ｎの何れかが接続されると、当該データ取得装置３２Ａ乃至３２Ｎの種類等を認識するための処理（以下、これを認識処理とも呼ぶ）を実行する。
【００７９】
ここでデータ取得装置３２Ａ乃至３２Ｎでは、上述した接続規格に準じた接続フォーマットを示す情報（以下、これを接続フォーマット情報とも呼ぶ）を記憶している。
【００８０】
そして制御部４０は、接続フォーマット情報に含まれる種々の情報をそれぞれ認識処理に使用する情報（以下、これを認識使用情報とも呼ぶ）としている。
【００８１】
よって制御部４０は、これら認識使用情報を要求する要求情報を順次、外部のデータ取得装置３２Ａ乃至３２Ｎと通信するための通信部４６（以下、これを転送側通信部とも呼ぶ）により当該データ取得装置３２Ａ乃至３２Ｎに送信する。
【００８２】
その結果、制御部４０は、データ取得装置３２Ａ乃至３２Ｎから認識使用情報が送信される毎に、その認識使用情報を転送側通信部４６によって受信して取り込み、これら認識使用情報を順次用いながら認識処理を実行している。
【００８３】
ここで、接続フォーマット情報に含まれる種々の認識使用情報の中には、接続規格に準じた内容によって、データ取得装置３２Ａ乃至３２Ｎを個別に識別、又は製品として識別するのに利用可能な認識使用情報がある。
【００８４】
因みに、以下の説明では、このようにデータ取得装置３２Ａ乃至３２Ｎを個別に識別、又は製品として識別するのに利用可能な認識使用情報を、特に装置識別情報とも呼ぶ。
【００８５】
このため、制御部４０は、認識処理の一環として、装置識別情報を要求する要求情報（以下、これを特に識別要求情報とも呼ぶ）を転送側通信部４６によりデータ取得装置３２Ａ乃至３２Ｎに送信している。
【００８６】
制御部４０は、識別要求情報を送信した結果、データ取得装置３２Ａ乃至３２Ｎから認識使用情報としての装置識別情報が送信されると、その装置識別情報を転送側通信部４６によって受信して取り込む。
【００８７】
ところで、制御部４０は、後述するように、ユーザに対しデータ取得装置３２Ａ乃至３２Ｎで音楽データを取得可能な複数の転送形式の中から何れか１つを選択させて、音楽データの転送に利用するように設定している。
【００８８】
そして制御部４０は、このようにユーザによって選択された転送形式を、データ取得装置３２Ａ乃至３２Ｎへの音楽データの転送に利用するように設定すると、その設定により当該データ取得装置３２Ａ乃至３２Ｎの装置識別情報を設定情報記憶部４７に記憶している。
【００８９】
従って制御部４０は、データ取得装置３２Ａ乃至３２Ｎと接続して装置識別情報を取得すると、設定情報記憶部４７に、その装置識別情報と同一の装置識別情報を記憶しているか否かを判別する。
【００９０】
その結果、制御部４０は、設定情報記憶部４７にデータ取得装置３２Ａ乃至３２Ｎから取得した装置識別情報と同一な装置識別情報を記憶してはいないと、そのデータ取得装置３２Ａ乃至３２Ｎがデータ転送装置３１に対し初めて接続されたと判断する。
【００９１】
ここで、上述した接続フォーマット情報に含まれる種々の認識使用情報の中には、接続規格に準じて、データ取得装置３２Ａ乃至３２Ｎで音楽データを取得可能な転送形式を示すように利用し得る複数の認識使用情報がある。
【００９２】
因みに、これら複数の認識使用情報は、それぞれ異なる転送形式を示すように利用されている。
【００９３】
そして、以下の説明では、このように、データ取得装置３２Ａ乃至３２Ｎで音楽データを取得可能な転送形式を示すように利用可能な認識使用情報を、特に取得側形式情報とも呼ぶ。
【００９４】
そして複数の取得側形式情報については、それぞれデータ取得装置３２Ａ乃至３２Ｎが音楽データを、対応する転送形式で取得可能なように構成されていると、その転送形式を示すような内容になっている。
【００９５】
ただし取得側形式情報については、データ取得装置３２Ａ乃至３２Ｎが音楽データを、対応する転送形式で取得するようには構成されていないと、接続規格に準じて、削除、又は認識処理に使用可能な他の内容になっている場合がある。
【００９６】
また認識使用情報の中には、取得側形式情報の内容にかかわらずに、当該取得側形式情報が存在するか否かを示すように規定されているものがある。
【００９７】
よって制御部４０は、データ取得装置３２Ａ乃至３２Ｎが初めて接続されたと判断すると、認識処理の一環として、認識使用情報を用いて、これら取得側形式情報がそれぞれ存在するか否かを順番に判別する。
【００９８】
また制御部４０は、取得側形式情報が存在していると判別したときには、その取得側形式情報を要求する要求情報（以下、これを形式要求情報とも呼ぶ）を転送側通信部４６によりデータ取得装置３２Ａ乃至３２Ｎに送信する。
【００９９】
その結果、制御部４０は、形式要求情報を送信した結果、データ取得装置３２Ａ乃至３２Ｎから認識使用情報としての取得側形式情報が送信されると、その取得側形式情報を転送側通信部４６によって受信して取り込む。
【０１００】
そして制御部４０は、複数の取得側形式情報を要求するか否かを順番に判別した結果と、実際に要求して受信した取得側形式情報の内容とに基づき、データ取得装置３２Ａ乃至３２Ｎで音楽データを取得可能な複数の転送形式を判別する。
【０１０１】
このようにして制御部４０は、データ取得装置３２Ａ乃至３２Ｎが初めて接続されたときには、認識処理を実行しながら、装置識別情報を取得し、またデータ取得装置３２Ａ乃至３２Ｎで音楽データを取得可能な複数の転送形式を判別している。
【０１０２】
そして制御部４０は、認識処理が終了してデータ取得装置３２Ａ乃至３２Ｎを認識した状態で、例えばユーザにより操作部４１を介して転送機能を選択する機能選択命令が入力されると、これに応じて転送機能を実行する。
【０１０３】
この場合、制御部４０は、データ取得装置３２Ａ乃至３２Ｎで音楽データを取得可能な複数の転送形式の判別結果をもとに、これら複数の転送形式の中から何れか１つを選択させるための形式選択画面データを生成して表示部４５に送出する。
【０１０４】
これにより制御部４０は、表示部４５に対し形式選択画面データに基づく図５に示すような形式選択画面６０を表示する。
【０１０５】
かかる形式選択画面６０には、中央部に、データ取得装置３２Ａ乃至３２Ｎで音楽データを取得可能な複数の転送形式の名称（以下、これを形式名称とも呼ぶ）を表示する名称表示領域６１が設けられている。
【０１０６】
そして形式選択画面６０において名称表示領域６１には、データ取得装置３２Ａ乃至３２Ｎで音楽データを取得可能な複数の転送形式の形式名称６１Ａ及び６１Ｂが画面垂直方向に沿って一列に並べられて表示されている。
【０１０７】
また形式選択画面６０には、画面垂直方向に沿って名称表示領域６１よりも画面上側に、転送形式の選択を促す文章６２が表示されている。
【０１０８】
さらに形式選択画面６０には、画面垂直方向に沿って名称表示領域６１よりも画面下側に、転送形式の選択を決定する決定ボタン６３が設けられている。
【０１０９】
制御部４０は、形式選択画面６０の名称表示領域６１内で何れか１つの形式名称６１Ａ及び６１Ｂを、選択対象として指示されていることを表すように例えば、輝度を高くして表示（すなわち、強調表示）している。
【０１１０】
また制御部４０は、形式選択画面６０の名称表示領域６１内で他の形式名称６１Ａ及び６１Ｂについては、選択対象から除外されていることを表すように例えば、輝度を低くして表示（すなわち、グレー表示）している。
【０１１１】
このようにして制御部４０は、形式選択画面６０の名称表示領域６１内で、これら形式名称６１Ａ及び６１Ｂを異なる表示状態で表示している。
【０１１２】
そして制御部４０は、例えばユーザによる操作部４１の操作に応じて、形式選択画面６０の名称表示領域６１内で強調表示する１つの形式名称６１Ａ及び６１Ｂを適宜変更する。
【０１１３】
これにより制御部４０は、形式選択画面６０の名称表示領域６１内で、所望の転送形式を形式名称６１Ａ及び６１Ｂとして任意に１つ指示させる。
【０１１４】
制御部４０は、ユーザにより操作部４１を介して形式選択画面６０上で何れか１つの形式名称６１Ａ及び６１Ｂが指示された状態で決定ボタン６３が押下されると、その指示された１つの形式名称６１Ａ及び６１Ｂの転送形式が選択されたものと認識する。
【０１１５】
そして図６に示すように、制御部４０は、このようにユーザにより所望の１の転送形式が選択されると、その選択された転送形式を示す選択形式情報６５を、データ取得装置３２Ａ乃至３２Ｎの装置識別情報６６と対応付けて形式設定情報６７を生成する。
【０１１６】
また制御部４０は、その形式設定情報６７を設定情報記憶部４７に送出して記憶する。これにより制御部４０は、データ転送装置３１に始めた接続されたデータ取得装置３２Ａ乃至３２Ｎでは、今後、音楽データを取得可能な複数の転送形式の中から、ユーザより選択された１の転送形式を実際に音楽データの転送に利用するように設定する。
【０１１７】
ところでデータ取得装置３２Ａ乃至３２Ｎでは、複数種類のデータフォーマットの音楽データを再生し得るようになされている。
【０１１８】
そしてデータ取得装置３２Ａ乃至３２Ｎでは、音楽データを取得可能な転送形式毎に、当該転送形式で取得する、再生可能な音楽データの１又は複数のデータフォーマットが設定されている。
【０１１９】
このため図７に示すように、制御部４０は、データ転送装置３１で音楽データを転送可能な複数の転送形式それぞれを示す転送側形式情報６８と、データ取得装置３２Ａ乃至３２Ｎが当該転送形式で取得する再生可能な音楽データの１又は複数のデータフォーマットを示すフォーマット情報６９とを対応付けて生成されたリスト（以下、これを形式リストとも呼ぶ）７０をリスト記憶部４８に記憶している。
【０１２０】
また制御部４０は、データ記憶部４３に音楽データを記憶する毎に、その音楽データに対してデータフォーマットを示すフォーマット情報を付加している。
【０１２１】
さらに制御部４０は、データ記憶部４３に記憶している音楽データについて、データフォーマット毎の音楽データのリスト（以下、これをフォーマット別リストとも呼ぶ）を生成してリスト記憶部４８に記憶している。
【０１２２】
さらにまた制御部４０は、データ記憶部４３に記憶している音楽データについて、データフォーマット毎に当該データフォーマットの音楽データの総数（以下、これをフォーマット別データ総数とも呼ぶ）を検出してリスト記憶部４８に記憶している。
【０１２３】
よって制御部４０は、上述のように形式選択画面６０を表示する場合、判別した転送形式と形式リスト７０とフォーマット別データ総数とに基づいて、データ取得装置３２Ａ乃至３２Ｎで音楽データを取得可能な転送形式毎に、データ転送装置３１からデータ取得装置３２Ａ乃至３２Ｎへ当該転送形式で転送可能な音楽データ（すなわち、データ取得装置３２Ａ乃至３２Ｎが当該転送形式で取得可能な音楽データ）の数（以下、これを取得可能データ数とも呼ぶ）を検出する。
【０１２４】
そして制御部４０は、表示部４５に表示した形式選択画面６０の名称表示領域６１内に、転送形式の形式名称６１Ａ及び６１Ｂを、対応する取得可能データ数が多いほど画面垂直方向に沿って画面上寄りに位置するように順に並べて表示している。
【０１２５】
また制御部４０は、形式選択画面６０の名称表示領域６１内には初期表示状態において、複数の形式名称６１Ａ及び６１Ｂのうち最も画面上寄りに位置させ、対応する取得可能データ数の最も多い１つの形式名称（以下、これを最多形式名称とも呼ぶ）６１Ａを強調表示している。
【０１２６】
これにより制御部４０は、形式選択画面６０の初期表示状態において、データ取得装置３２Ａ乃至３２Ｎで音楽データを取得可能な複数の転送形式の形式名称６１Ａ及び６１Ｂのうち、最多形式名称６１Ａを最も画面上寄りに位置させ、かつ強調表示することで、他の形式名称６１Ｂよりも格段的に目立たせることができる。
【０１２７】
また制御部４０は、その形式選択画面６０の初期表示状態において最多形式名称６１Ａをすでに強調表示し選択対象として指示した状態にしていることにより、特には選択対象として指示する形式名称６１Ａ及び６１Ｂを切り替えさるような操作を何らさせることなく、決定ボタン６３を押下させるだけの簡単な操作のみで、データ取得装置３２Ａ乃至３２Ｎが音楽データを最も多く取得可能な転送形式を容易に選択させることができる。
【０１２８】
このようにして制御部４０は、転送形式が選択されると、設定情報記憶部４７に形式設定情報６７を記憶しながら、選択形式情報６５、形式リスト７０、フォーマット別リスト及び音楽関連情報に基づき、転送する音楽データを選択させるための転送音楽選択画面データを生成する。
【０１２９】
そして制御部４０は、かかる転送音楽選択画面データを表示部４５に送出することにより、当該表示部４５に対し転送音楽選択画面データに基づく図８に示すような転送音楽選択画面７５を表示する。
【０１３０】
かかる転送音楽選択画面７５は、画面水平方向に沿った画面左寄りに音楽選択領域７６が設けられると共に、画面右寄りに操作領域７７が設けられている。
【０１３１】
転送音楽選択画面７５の音楽選択領域７６には、選択形式情報６５が示す転送形式でデータ取得装置３２Ａ乃至３２Ｎに転送可能な音楽データ（以下、これを転送可能音楽データとも呼ぶ）に関する音楽関連情報を表示する複数の関連情報表示欄７６Ａ乃至７６Ｆが画面垂直方向に沿って並べて設けられている。
【０１３２】
そして個々の関連情報表示欄７６Ａ乃至７６Ｆには、それぞれ１の転送可能音楽データに関する音楽関連情報として、音楽タイトル及び再生時間が表示されている。
【０１３３】
また個々の関連情報表示欄７６Ａ乃至７６Ｆには、対応する１の転送可能音楽データを転送対象として選択するためのチェックボックス７６ＡＸ乃至７６ＦＸが設けられている。
【０１３４】
さらに転送音楽選択画面７５の音楽選択領域７６には、ユーザにより転送対象として選択された転送可能音楽データを確認させる選択確認欄７６Ｇも設けられている。
【０１３５】
かかる選択確認欄７６Ｇには、ユーザにより転送対象として選択された転送可能音楽データに対応する音楽タイトルや再生時間、データ記憶部４３への記憶日が表示されると共に、ユーザにより転送対象として選択された転送可能音楽データの数（以下、これを選択数とも呼ぶ）も表示される。
【０１３６】
また転送音楽選択画面７５の操作領域７７には、転送対象として選択された転送可能音楽データの転送を実行するための実行ボタン７８、転送対象としての転送可能音楽データの選択を中止するための中止ボタン７９、例えば転送対象として選択された転送可能音楽データのデータフォーマットを変換するように設定するための設定ボタン８０も設けられている。
【０１３７】
さらに転送音楽選択画面７５の操作領域７７には、全ての転送可能音楽データを転送対象として一括選択するための全選択ボタン８１、転送対象として選択された全ての転送可能音楽データの当該転送対象としての選択を一括して取り消すための全削除ボタン８２も設けられている。
【０１３８】
さらにまた転送音楽選択画面７５には、転送相手のデータ取得装置３２Ａ乃至３２Ｎにおいてすでに記憶されている音楽データの数や、当該音楽データを記憶するデータ記憶部の空領域の容量が転送先情報８３として表示されている。
【０１３９】
そして制御部４０は、ユーザにより操作部４１を介して転送音楽選択画面７５上で関連情報表示欄７６Ａ乃至７６Ｆのチェックボックス７６ＡＸ乃至７６ＦＸにチェックマークが入れられると、その関連情報表示欄７６Ａ乃至７６Ｆに対応する転送可能音楽データを転送対象として選択されたと認識する。
【０１４０】
また制御部４０は、このとき転送音楽選択画面７５の選択確認欄７６Ｇに、転送対象として選択された転送可能音楽データに対応する音楽タイトルや選択数等を表示する。
【０１４１】
これにより制御部４０は、転送音楽選択画面７５の選択確認画面７６Ｇの表示内容により、ユーザに対し転送対象として選択された転送可能音楽データを確認させることができる。
【０１４２】
また制御部４０は、ユーザにより操作部４１を介して転送音楽選択画面７５上で、全選択ボタン８１が押下されると、これに応じて全ての転送可能音楽データを転送対象として一括選択する。
【０１４３】
さらに制御部４０は、ユーザにより操作部４１を介して転送音楽選択画面７５上で、全削除ボタン８２が押下されると、転送対象として選択されていた全ての転送可能音楽データの当該転送対象としての選択を一括して取り消す。
【０１４４】
これにより制御部４０は、ユーザに対し操作部４１を介して転送音楽選択画面７５上で、転送対象の転送可能音楽データを改めて選択させることができる。
【０１４５】
このようにして制御部４０は、ユーザに対し転送音楽選択画面７５上で複数の転送可能音楽データのうちデータ取得装置３２Ａ乃至３２Ｎへ転送する転送可能音楽データを転送対象として選択させることができる。
【０１４６】
そして制御部４０は、ユーザにより操作部４１を介して転送音楽選択画面７５上で転送対象としての転送可能音楽データが選択された後、実行ボタン７８が押下され転送の実行が指示されると、データ記憶部４３から、その転送対象として選択された転送可能音楽データを読み出す。
【０１４７】
これにより制御部４０は、その転送対象として選択された転送可能音楽データを、選択形式情報６５が示す転送形式で転送側通信部４６によりデータ取得装置３２Ａ乃至３２Ｎに転送する。
【０１４８】
このようにして制御部４０は、データ取得装置３２Ａ乃至３２Ｎに対し、音楽データを取得可能な複数の転送形式のうち所望の１の転送形式で音楽データを転送して取得させることができる。
【０１４９】
因みに、制御部４０は、表示部４５に表示した転送音楽選択画面７５上で、ユーザにより操作部４１を介して中止ボタン７９が押下されると、その時点で転送対象としての転送可能音楽データの選択を中止して当該転送音楽選択画面７５を閉じるようにする。
【０１５０】
また制御部４０は、ユーザにより操作部４１を介して転送音楽選択画面７５上で設定ボタン８０が押下されると、転送対象として選択されていた転送可能音楽データのデータフォーマットを変換する変換設定画面（図示せず）を表示する。
【０１５１】
そして制御部４０は、ユーザに対し操作部４１を介して変換設定画面上で変更後のデータフォーマットを選択させることで、転送対象としての転送可能音楽データを転送するときに、そのデータフォーマットを変換するように設定する。
【０１５２】
ただし制御部４０は、転送対象としての転送可能音楽データのデータフォーマットを変換するように設定する場合、選択形式情報６５や形式リスト７０に基づき、変換後のデータフォーマットの転送可能音楽データを選択形式情報６５が示す転送形式で転送すると、データ取得装置３２Ａ乃至３２Ｎがその転送可能音楽データを再生可能か否かを判別する。
【０１５３】
その結果、制御部４０は、データ取得装置３２Ａ乃至３２Ｎで、変換後のデータフォーマットの転送可能音楽データが再生可能であると、当該転送可能音楽データを、データフォーマットを変換して転送する。
【０１５４】
これに対して制御部４０は、データ取得装置３２Ａ乃至３２Ｎで、変換後のデータフォーマットの転送可能音楽データを再生し得ないと、当該転送可能音楽データのデータフォーマットを変換しないようにして、その転送可能音楽データをそのままのデータフォーマットで転送する。
【０１５５】
これにより制御部４０は、データ取得装置３２Ａ乃至３２Ｎに対し、転送対象としての転送可能音楽データを選択形式情報６５が示す転送形式で取得させ、当該転送可能音楽データを適確に再生させることができる。
【０１５６】
ところで制御部４０は、実行ボタン７８の押下に応じて、転送対象としての転送可能音楽データの転送を開始すると、当該転送可能音楽データの転送状況を通知するための転送状況通知画面データを生成する。
【０１５７】
そして制御部４０は、転送状況通知画面データを表示部４５に送出することにより、当該表示部４５に対し転送状況通知画面データに基づく図９に示すような転送状況通知画面８５を表示する。
【０１５８】
かかる転送状況通知画面８５は、画面水平方向に沿った画面左寄りに転送音楽通知領域８６が設けられると共に、画面右寄りに転送状況通知領域８７が設けられている。
【０１５９】
転送状況通知画面８５の転送音楽通知領域８６には、転送対象として選択された転送可能音楽データに関する音楽関連情報を表示する複数の関連情報表示欄８６Ａ乃至８６Ｆが画面垂直方向に沿って並べて設けられている。
【０１６０】
そして個々の関連情報表示欄８６Ａ乃至８６Ｆには、それぞれ転送可能音楽データに関する音楽関連情報として、音楽タイトルと、その転送可能音楽データに対する個別の転送状況を通知するための転送通知部８６ＡＸとが表示されている。
【０１６１】
また個々の関連情報表示欄８６Ａ乃至８６Ｆには、対応する転送可能音楽データが転送対象として選択されていることを確認させるためのチェックボックス８６ＡＹが設けられている。
【０１６２】
そして、かかるチェックボックス８６Ｙには、対応する転送可能音楽データが転送対象として選択されていることを表すチェックマークが表示されている。
【０１６３】
さらに転送状況通知画面８５の転送音楽通知領域８６には、現在転送中の転送可能音楽データを確認させる転送音楽確認欄８６Ｇも設けられている。
【０１６４】
かかる転送音楽確認欄８６Ｇには、現在転送中の転送可能音楽データに対応する音楽タイトルや、当該転送可能音楽データが、転送対象の全ての転送可能音楽データに中で、何番目に転送されているかを示す情報が表示されている。
【０１６５】
さらに転送状況通知画面８５の転送状況通知領域８７には、現在、転送対象の全ての転送可能音楽データの転送がどの程度まで進んでいるかを通知するための状況通知部８７Ａが表示されている。
【０１６６】
さらにまた転送状況通知画面８５には、転送音楽選択画面７５と同様に、転送先情報８３が表示されている。
【０１６７】
制御部４０は、データ取得装置３２Ａ乃至３２Ｎへ全ての転送対象の転送可能音楽データを選択形式情報６５が示す転送形式で転送し終えると、転送状況通知画面８５を閉じて音楽データの転送処理を全て終了する。
【０１６８】
このようにして制御部４０は、データ転送装置３１にデータ取得装置３２Ａ乃至３２Ｎが初めて接続されると、当該データ取得装置３２Ａ乃至３２Ｎに対し、音楽データを取得可能な複数の転送形式のうち所望の１の転送形式で音楽データを転送し取得させることができる。
【０１６９】
ところで制御部４０は、上述したように認識処理では設定情報記憶部４７に対し、データ転送装置３１に接続されたデータ取得装置３２Ａ乃至３２Ｎの装置識別情報と同一の装置識別情報６６を記憶しているか否かを判別する。
【０１７０】
その結果、制御部４０は、設定情報記憶部４７に、データ取得装置３２Ａ乃至３２Ｎの装置識別情報と同一な装置識別情報６６を形式設定情報６７の一部としてすでに記憶していると、データ転送装置３１に対する当該データ取得装置３２Ａ乃至３２Ｎの接続が、転送形式の選定以降（すなわち、選択形式情報６５の記憶以降）の接続であると判断する。
【０１７１】
このように制御部４０は、データ取得装置３２Ａ乃至３２Ｎについて、音楽データの取得に利用する転送形式をすでに設定していると、当該データ取得装置３２Ａ乃至３２Ｎで音楽データを取得可能な複数の転送形式を判別しないようにする。
【０１７２】
そして制御部４０は、設定情報記憶部４７から、データ取得装置３２Ａ乃至３２Ｎの装置識別情報に対応する選択形式情報６５を読み出す。
【０１７３】
制御部４０は、このようにして認識処理が終了してデータ取得装置３２Ａ乃至３２Ｎを認識した状態で、例えばユーザにより操作部４１を介して転送機能を選択する機能選択命令が入力されると、これに応じて転送機能を実行する。
【０１７４】
この場合、制御部４０は、転送形式の設定はすでに済んでいることにより、表示部４５に対し形式選択画面６０は何ら表示させずに、当該表示部４５に対し転送音楽選択画面７５を表示する。
【０１７５】
これにより制御部４０は、上述と同様にユーザに対し操作部４１を介して転送音楽選択画面７５上で、転送対象としての転送可能音楽データを選択させる。
【０１７６】
そして制御部４０は、ユーザにより操作部４１を介して転送音楽選択画面７５上で転送対象としての転送可能音楽データが選択されたうえで実行ボタン７７が押下され転送の実行が指示されると、データ記憶部４３から転送対象として選択された転送可能音楽データを読み出す。
【０１７７】
これにより制御部４０は、その転送対象として選択された転送可能音楽データを、選択形式情報６５が示す転送形式で転送側通信部４６によりデータ取得装置３２Ａ乃至３２Ｎに転送する。
【０１７８】
また制御部４０は、このようにしてデータ取得装置３２Ａ乃至３２Ｎへの転送可能音楽データの転送を開始すると、上述と同様に表示部４５に対し転送音楽選択画面７５に換えて転送状況通知画面８５を表示して、転送の進捗状況を通知する。
【０１７９】
そして制御部４０は、データ取得装置３２Ａ乃至３２Ｎへ全ての転送対象の転送可能音楽データを選択形式情報６５が示す転送形式で転送し終えると、転送状況通知画面８５を閉じて音楽データの転送処理を全て終了する。
【０１８０】
このようにして制御部４０は、データ転送装置３１にデータ取得装置３２Ａ乃至３２Ｎが２回以上接続されると、当該データ取得装置３２Ａ乃至３２Ｎから取得する装置識別情報に対応する選択形式情報６５を検出する。
【０１８１】
そして制御部４０は、データ取得装置３２Ａ乃至３２Ｎに対し、音楽データを取得可能な複数の転送形式のうち、選択形式情報６５が示す所望の１の転送形式で音楽データを転送して取得させることができる。
【０１８２】
すなわち、制御部４０は、データ転送装置３１にデータ取得装置３２Ａ乃至３２Ｎが始めて接続されたときのみ、当該データ取得装置３２Ａ乃至３２Ｎで音楽データを取得可能な複数の転送形式の中から、所望の１の転送形式を選択させる。
【０１８３】
そして制御部４０は、データ転送装置３１にデータ取得装置３２Ａ乃至３２Ｎが２回以上接続されたときには、転送形式を何ら選択させなくとも、当該データ取得装置３２Ａ乃至３２Ｎに対し音楽データを所望の転送形式で転送して取得させることができる。
【０１８４】
ところでデータ転送装置３１には、操作部４１として、転送機能を選択する機能選択命令を入力するための転送ボタンが設けられている。
【０１８５】
制御部４０は、データ転送装置３１にデータ取得装置３２Ａ乃至３２Ｎが接続され認識処理が終了した後、ユーザにより転送ボタンが比較的短い所定時間（以下、これを通常命令入力時間とも呼ぶ）内で押下操作される（すなわち、指で押下され、通常命令入力時間内に、その指が離される）と、転送機能を選択する機能選択命令が入力された（すなわち、転送機能の実行が指示された）と判断する。
【０１８６】
そして制御部４０は、データ転送装置３１に対しデータ取得装置３２Ａ乃至３２Ｎが初めて接続された際に、このようにして機能選択命令が入力されると、表示部４５に形式選択画面６０を表示する。
【０１８７】
また制御部４０は、データ取得装置３２Ａ乃至３２Ｎへの音楽データの転送に利用する１の転送形式を設定した以降に、データ転送装置３１に対し当該データ取得装置３２Ａ乃至３２Ｎが接続された際には、機能選択命令の入力に応じて表示部４５に転送音楽選択画面７５を表示する。
【０１８８】
ただし制御部４０は、データ取得装置３２Ａ乃至３２Ｎへの音楽データの転送に利用する１の転送形式を設定した以降でも、例えばデータ転送装置３１に対しデータ取得装置３２Ａ乃至３２Ｎが接続された状態で、ユーザにより転送ボタンが通常命令入力時間以上押下操作され続ける（すなわち、通常命令入力時間以上、指で押下し続けるように長押しされる）と、データ取得装置３２Ａ乃至３２Ｎへの音楽データの転送に利用するようにすでに設定している１の転送形式を変更する設定変更命令が入力された（すなわち、転送形式の変更が指示された）と判断する。
【０１８９】
そして制御部４０は、このように設定変更命令が入力されたときには、上述と同様にデータ取得装置３２Ａ乃至３２Ｎで音楽データを取得可能な複数の転送形式を判別し、その判別結果をもとに表示部４５に対し形式選択画面６０を再び表示させる。
【０１９０】
これにより制御部４０は、ユーザに対し形式選択画面４５上で、所望の１の転送形式を選択させ直し、当該選択された１の転送形式を示す選択形式情報６５を装置識別情報６６と対応付けて新たな形式設定情報６７を生成する。
【０１９１】
また制御部４０は、その形式設定情報６７を設定情報記憶部４７に送出して、すでに記憶している同一の装置識別情報６６を含む形式設定情報６７に上書きするように記憶する。
【０１９２】
このようにして制御部４０は、データ取得装置３２Ａ乃至３２Ｎへの音楽データの転送に利用する１の転送形式を設定しても、当該音楽データの転送に利用する１つの転送形式を変更して設定し直すことができる。
【０１９３】
次いで、データ取得装置３２Ａ乃至３２Ｎについて説明する。かかるデータ取得装置３２Ａ乃至３２Ｎは、それぞれ種類や機種が異なり、その種類や機種に応じた特有の機能を有している。
【０１９４】
しかしながらデータ取得装置３２Ａ乃至３２Ｎは、それぞれデータ転送装置３１に接続され、当該データ転送装置３１から転送される音楽データを取得するという点で同一の機能を有している。
【０１９５】
従って、図１０を用いて、以下には、データ取得装置３２Ａ乃至３２Ｎの互いに同一な機能部分の機能回路ブロックによる詳細なハードウェア構成について説明する。かかるデータ取得装置３２Ａ乃至３２Ｎは、装置全体を制御する制御部９０を有している。
【０１９６】
制御部９０は、データ転送装置３１にデータ取得装置３２Ａ乃至３２Ｎが接続されると、そのデータ転送装置３１から認識処理が実行され送信された要求情報を、当該データ転送装置３１と通信するための通信部（以下、これを取得側通信部とも呼ぶ）９１によって受信して取り込む。
【０１９７】
ここで、制御部９０は、情報記憶部９２に対し、上述した接続フォーマット情報として種々の認識使用情報と共に装置識別情報６６や取得側形式情報を記憶している。
【０１９８】
従って制御部９０は、要求情報を受信すると、これに応じて情報記憶部９２から種々の認識使用情報を読み出し、当該読み出した認識使用情報を取得側通信部９１によりデータ転送装置３１に送信する。
【０１９９】
また制御部９０は、データ転送装置３１から識別要求情報が送信されると、当該識別要求情報を取得側通信部９１によって受信して取り込む。
【０２００】
そして制御部９０は、このとき情報記憶部９２から装置識別情報６６を読み出し、当該読み出した装置識別情報６６を取得側通信部９１によりデータ転送装置３１に送信する。
【０２０１】
このようにして制御部９０は、データ転送装置３１に対し自己のデータ取得装置３２Ａ乃至３２Ｎに対する認識処理を実行させることができる。
【０２０２】
さらに制御部９０は、データ転送装置３１に対しデータ取得装置３２Ａ乃至３２Ｎが初めて接続されたときのみ、当該データ転送装置３１から要求情報や識別要求情報に加えて形式要求情報が送信される。
【０２０３】
従って制御部９０は、その形式要求情報を取得側通信部９１によって受信して取り込む。そして制御部９０は、このとき情報記憶部９２から取得側形式情報を読み出し、当該読み出した取得側形式情報を取得側通信部９１によりデータ転送装置３１に送信する。
【０２０４】
これにより制御部９０は、データ転送装置３１に対し、自己のデータ取得装置３２Ａ乃至３２Ｎが初めて接続されたときには、当該データ転送装置３１において認識処理の一環として、当該データ取得装置３２Ａ乃至３２Ｎで音楽データを取得可能な複数の転送形式の中から、所望の１の転送形式を選択させて、当該選択された１の転送形式で音楽データを転送するように設定させることができる。
【０２０５】
そして制御部９０は、データ転送装置３１から選択形式情報６５が示す転送形式で音楽データ（すなわち、転送対象として選択された転送可能音楽データ）が転送されると、その音楽データを取得側通信部９１によって受信して取り込む。
【０２０６】
このとき制御部９０は、音楽データを、その転送に利用された転送形式に応じてデータ記憶部９３に記憶すると共に、当該データ記憶部９３内に構築しているデータベースに登録する等して自己で管理するようにして利用可能な状態する。
【０２０７】
このようにして制御部９０は、データ転送装置３１から選択形式情報６５が示す転送形式で転送された音楽データを取得することができる。
【０２０８】
ところでデータ転送装置３１は、例えばデータ取得装置３２Ａ乃至３２Ｎへ音楽データを転送するとき、その音楽データに関連する音楽関連情報も合わせて転送している。
【０２０９】
このため制御部９０は、このようにデータ転送装置３１から音楽データと共に音楽関連情報が転送されると、これを取得側通信部９１によって受信して取り込む。
【０２１０】
そして制御部９０は、その音楽関連情報をデータ記憶部９３に送出することにより、当該データ記憶部９３において音楽関連情報を音楽データに対応付けて記憶する。
【０２１１】
このような状態で制御部９０は、ユーザにより操作部９４を介して再生機能を選択する再生機能選択命令が入力されると、再生機能を実行する。
【０２１２】
この場合、制御部９０は、データ記憶部９３から音楽関連情報を読み出して例えば音楽タイトルリストを生成して表示部９５に送出する。
【０２１３】
これにより制御部９０は、表示部９５に、その音楽タイトルリストを表示し、かくしてユーザに対し操作部９４を介して表示部９５の音楽タイトルリスト上で再生対象の音楽データを音楽タイトルとして指定させる。
【０２１４】
そして制御部９０は、ユーザにより操作部９４を介して再生対象の音楽データが指定され、再生命令が入力されると、データ記憶部９３から当該指定された音楽データを読み出して再生部９６に送出する。
【０２１５】
ここで再生部９６は、種々のデータフォーマットの音楽データを再生し得るようになされている。これにより制御部９０は、再生部９６により、その音楽データを復号処理やデジタルアナログ変換処理等のように再生処理させて音楽として出力させる。
【０２１６】
このようにして制御部９０は、データ転送装置３１から取得した音楽データを音楽としてユーザに聴かせることができる。
【０２１７】
次いで、図１１（Ａ）及び（Ｂ）に示すフローチャートを用いて、データ転送装置３１及びデータ取得装置３２Ａ乃至３２Ｎにおいて実行するデータ転送取得処理手順について説明する。
【０２１８】
データ転送装置３１の制御部４０は、当該データ転送装置３１にデータ取得装置３２Ａ乃至３２Ｎが接続されると、図１１（Ａ）に示すデータ転送処理手順ＲＴ１を開始する。
【０２１９】
データ転送装置３１の制御部４０は、かかるデータ転送処理手順ＲＴ１を開始すると、ステップＳＰ１において装置識別情報６６を要求する識別要求情報を取得側通信部４６によりデータ取得装置３２Ａ乃至３２Ｎに送信して、次のステップＳＰ２に移る。
【０２２０】
このとき、データ取得装置３２Ａ乃至３２Ｎの制御部９０は、当該データ取得装置３２乃至３２Ｎがデータ転送装置３１に接続されたことで、図１１（Ｂ）に示すデータ取得処理手順ＲＴ２を開始している。
【０２２１】
そしてデータ取得装置３２Ａ乃至３２Ｎの制御部９０は、かかるデータ取得処理手順ＲＴ２を開始すると、ステップＳＰ１１においてデータ転送装置３１から送信された識別要求情報を取得側通信部９１によって受信して取り込む。
【０２２２】
そしてデータ取得装置３２Ａ乃至３２Ｎの制御部９０は、その受信に応じて情報記憶部９２から装置識別情報６６を読み出し、当該読み出した装置識別情報６６を取得側通信部９１によりデータ転送装置３１に送信して、次のステップＳＰ１２に移る。
【０２２３】
このときステップＳＰ２においてデータ転送装置３１の制御部４０は、データ取得装置３２Ａ乃至３２Ｎから送信された装置識別情報６６を転送側通信部４６によって受信して取り込む。
【０２２４】
そしてデータ転送装置３１の制御部４０は、設定情報記憶部４７にその装置識別情報６６と同一の装置識別情報６６をすでに記憶しているか否かを判別する。
【０２２５】
このステップＳＰ２において否定結果が得られると、このことは、このときデータ転送装置３１に接続されたデータ取得装置３２Ａ乃至３２Ｎは、初めて接続されたものであることを表している。
【０２２６】
すなわち、データ転送装置３１の制御部４０は、データ取得装置３２Ａ乃至３２Ｎへの音楽データの転送に利用する１の転送形式を未だ設定してはいないことを表している。
【０２２７】
ステップＳＰ２においてデータ転送装置３１の制御部４０は、かかる否定結果を得ると、次のステップＳＰ３に移る。
【０２２８】
そしてステップＳＰ３においてデータ転送装置３１の制御部４０は、取得側形式情報を要求する形式要求情報を転送側通信部４６によりデータ取得装置３２Ａ乃至３２Ｎに送信して、次のステップＳＰ４に移る。
【０２２９】
このときステップＳＰ１２においてデータ取得装置３２Ａ乃至３２Ｎの制御部９０は、データ転送装置３１から送信される形式要求情報を受信したか否かを判別する。
【０２３０】
このステップＳＰ１２において肯定結果が得られると、このことはデータ転送装置３１から送信された形式要求情報を取得側通信部９１によって受信して取り込んだことを表している。
【０２３１】
すなわち、かかる肯定結果は、データ取得装置３２Ａ乃至３２Ｎが今回、データ転送装置３１に対して初めて接続されたことで、当該データ取得装置３２Ａ乃至３２Ｎに音楽データを転送するために利用する１の転送形式が未だ設定されてはいないことを表している。
【０２３２】
ステップＳＰ１２においてデータ取得装置３２Ａ乃至３２Ｎの制御部９０は、かかる肯定結果を得ると、次のステップＳＰ１３に移る。
【０２３３】
ステップＳＰ１３においてデータ取得装置３２Ａ乃至３２Ｎの制御部９０は、情報記憶部９２から取得側形式情報を読み出して、当該読み出した取得側形式情報を取得側通信部９１によりデータ転送装置３１に送信して、次のステップＳＰ１４に移る。
【０２３４】
このときステップＳＰ４においてデータ転送装置３１の制御部４０は、データ取得装置３２Ａ乃至３２Ｎから送信された取得側形式情報を転送側通信部４６によって受信して取り込む。
【０２３５】
そしてデータ転送装置３１の制御部４０は、その取得側形式情報をもとに、データ取得装置３２Ａ乃至３２Ｎで音楽データを取得可能な複数の転送形式を判別する。
【０２３６】
このようにしてデータ転送装置３１の制御部４０は、データ取得装置３２Ａ乃至３２Ｎに対する認識処理が終了した後、例えばユーザにより操作部４１を介して転送機能を選択する機能選択命令が入力されると、次のステップＳＰ５に移る。
【０２３７】
ステップＳＰ５においてデータ転送装置３１の制御部４０は、判別した転送形式をもとに形式選択画面データを生成して表示部４５に送出することにより当該表示部４５に形式選択画面データに基づく形式選択画面６０を表示する。
【０２３８】
そしてデータ転送装置３１の制御部４０は、ユーザにより操作部４１を介して形式選択画面６０上で複数の転送形式の中から所望の１の転送形式が選択されると、次のステップＳＰ６に移る。
【０２３９】
ステップＳＰ６においてデータ転送装置３１の制御部４０は、ユーザにより選択された１の転送形式を示す選択形式情報６５を、このときデータ取得装置３２Ａ乃至３２Ｎから取得していた装置識別情報６６と対応付けて形式設定情報６７として設定情報記憶部４７に記憶して、次のステップＳＰ７に移る。
【０２４０】
ところで上述のステップＳＰ２において肯定結果が得られると、このことは、このときデータ転送装置３１に接続されたデータ取得装置３２Ａ乃至３２Ｎは、すでに２回以上接続されたものであることを表している。
【０２４１】
すなわち、データ転送装置３１の制御部４０は、データ取得装置３２Ａ乃至３２Ｎへの音楽データの転送に利用する１の転送形式をすでに設定していることを表している。
【０２４２】
よってステップＳＰ２においてデータ転送装置３１の制御部４０は、かかる肯定結果を得ると、データ取得装置３２Ａ乃至３２Ｎに対する認識処理が終了した後、例えばユーザにより操作部４１を介して転送機能を選択する機能選択命令が入力されると、ステップＳＰ７に移る。
【０２４３】
また上述のステップＳＰ１２において否定結果が得られると、このことはデータ転送装置３１から送信される形式要求情報を取得側通信部９１によって受信してはいないことを表している。
【０２４４】
すなわち、かかる否定結果は、データ取得装置３２Ａ乃至３２Ｎがデータ転送装置３１に対し２回以上接続されていることで、当該データ取得装置３２Ａ乃至３２Ｎに音楽データを転送するために利用する１の転送形式をすでに設定していることを表している。
【０２４５】
このステップＳＰ１２においてデータ取得装置３２Ａ乃至３２Ｎの制御部９０は、かかる否定結果を得ると、ステップＳＰ１４に移る。
【０２４６】
ステップＳＰ７においてデータ転送装置３１の制御部４０は、選択形式情報６５が示す１の転送形式をもとに転送音楽選択画面データを生成して表示部４５に送出することにより当該表示部４５に転送音楽選択画面データに基づく転送音楽選択画面７５を表示する。
【０２４７】
そしてデータ転送装置３１の制御部４０は、ユーザにより操作部４１を介して転送音楽選択画面７５上で転送対象の音楽データ（転送可能音楽データ）が選択され、転送の実行が指示されると、次のステップＳＰ８に移る。
【０２４８】
これによりステップＳＰ８においてデータ転送装置３１の制御部４０は、データ記憶部４３からユーザにより選択された音楽データを読み出して、選択形式情報６５が示す１の転送形式で転送側通信部４６によりデータ取得装置３２Ａ乃至３２Ｎに転送する。
【０２４９】
そしてデータ転送装置３１の制御部４０は、選択された音楽データの転送が全て完了すると、次のステップＳＰ９に移って、かかるデータ転送処理手順ＲＴ１を終了する。
【０２５０】
このときステップＳＰ１４においてデータ取得装置３２Ａ乃至３２Ｎの制御部９０は、データ転送装置３１から選択形式情報６５が示す転送形式で転送された音楽データを取得側通信部９１によって受信しデータ記憶部９３に記憶するようにして取得する。
【０２５１】
そしてデータ取得装置３２Ａ乃至３２Ｎの制御部９０は、データ転送装置３１から選択形式情報６５が示す転送形式で転送された全ての音楽データの取得が完了すると、次のステップＳＰ１５に移って、かかるデータ取得処理手順ＲＴ２を終了する。
【０２５２】
このようにしてデータ転送装置３１及びデータ取得装置３２Ａ乃至３２Ｎは、データ転送取得処理手順を全て終了する。
【０２５３】
以上の構成において、データ転送取得システム３０のデータ転送装置３１は、データ取得装置３２Ａ乃至３２Ｎが始めて接続されると、当該データ取得装置３２Ａ乃至３２Ｎから装置識別情報６６と、取得側形式情報とを取得する。
【０２５４】
またデータ転送装置３１は、取得側形式情報に基づいてデータ取得装置３２Ａ乃至３２Ｎで音楽データを取得可能な複数の転送形式を判別する。
【０２５５】
そしてデータ転送装置３１は、判別した複数の転送形式をもとに、表示部４５に形式選択画面６０を表示して、これら複数の転送形式の形式名称６１Ａ及び６１Ｂを提示する。
【０２５６】
これによりデータ転送装置３１は、ユーザに対し操作部４１を介して形式選択画面６０上で複数の転送形式の中から、所望の１の転送形式を選択させるようにする。
【０２５７】
その結果、データ転送装置３１は、ユーザにより選択された１の転送形式を示す選択形式情報６５を、装置識別情報６６と対応付けて形式設定情報６７として設定情報記憶部４７に記憶して、データ取得装置３２Ａ乃至３２Ｎへの音楽データの転送に利用する１の転送形式を設定する。
【０２５８】
そしてデータ転送装置３１は、音楽データを選択形式情報６５が示す転送形式で転送してデータ取得装置３２Ａ乃至３２Ｎに取得させる。
【０２５９】
またデータ転送装置３１は、データ取得装置３２Ａ乃至３２Ｎへの音楽データの転送に利用する１の転送形式を設定した以降に、データ取得装置３２Ａ乃至３２Ｎが接続されると、当該データ取得装置３２Ａ乃至３２Ｎから装置識別情報６６を取得する。
【０２６０】
そしてデータ転送装置３１は、設定情報記憶部４７から、その装置識別情報６６に対応する選択形式情報６５を読み出し、音楽データを当該選択形式情報６５が示す転送形式で転送してデータ取得装置３２Ａ乃至３２Ｎに取得させる。
【０２６１】
従ってデータ転送取得システム３０は、データ取得装置３２Ａ乃至３２Ｎで音楽データを取得可能な複数の転送形式の中から所望の１の転送形式を１度選択させるだけで、その選択以降は転送形式を何ら選択させることなく、当該データ転送装置３１から所望の１の転送形式で音楽データを転送してデータ取得装置３２Ａ乃至３２Ｎに取得させることができる。
【０２６２】
以上の構成によれば、データ転送取得システム３０は、データ転送装置３１においてデータ取得装置３２Ａ乃至３２Ｎが始めて接続されると、当該データ取得装置３２Ａ乃至３２Ｎから装置識別情報６６及び取得側形式情報を取得し、その取得側形式情報に基づき、データ取得装置３２Ａ乃至３２Ｎで音楽データを取得可能な複数の転送形式を判別して表示部４５に形式選択画面６０を表示し当該複数の転送形式の形式名称６１Ａ及び６１Ｂを提示することにより、ユーザに対し操作部４１を介して形式選択画面６０上で複数の転送形式の中から、所望の１の転送形式を選択させるようにする。
【０２６３】
そしてデータ転送取得システム３０は、データ転送装置３１においてユーザにより選択された１の転送形式を示す選択形式情報６５を、装置識別情報６６と対応付けて形式設定情報６７として設定情報記憶部４７に記憶することにより、データ取得装置３２Ａ乃至３２Ｎへの音楽データの転送に利用する１の転送形式を設定して、音楽データを当該選択形式情報６５が示す転送形式で転送してデータ取得装置３２Ａ乃至３２Ｎに取得させる。
【０２６４】
またデータ転送取得システム３０は、データ転送装置３１においてデータ取得装置３２Ａ乃至３２Ｎへの音楽データの転送に利用する１の転送形式を設定した以降に、データ取得装置３２Ａ乃至３２Ｎが接続されると、当該データ取得装置３２Ａ乃至３２Ｎから装置識別情報６６を取得し、設定情報記憶部４７から、その装置識別情報６６に対応する選択形式情報６５を読み出し、音楽データを当該選択形式情報６５が示す転送形式で転送してデータ取得装置３２Ａ乃至３２Ｎに取得させる。
【０２６５】
これによりデータ転送取得システム３０は、データ取得装置３２Ａ乃至３２Ｎで音楽データを取得可能な複数の転送形式の中から所望の１の転送形式を１度選択させるだけで、その選択以降は転送形式を何ら選択させることなく、当該データ転送装置３１から所望の１の転送形式で音楽データを転送してデータ取得装置３２Ａ乃至３２Ｎに取得させることができる。よってデータ転送取得システム３０は、データ取得装置３２Ａ乃至３２Ｎにおいて音楽データを容易に取得させることができる。
【０２６６】
またデータ転送取得システム３０は、データ転送装置３１において形式選択画面６０を表示する場合、転送形式の形式名称６１Ａ及び６１Ｂを、データ取得装置３２Ａ乃至３２Ｎで取得可能データ数が多い順に並べて表示するようにした。
【０２６７】
従ってデータ転送取得システム３０は、ユーザに対し、データ取得装置３２Ａ乃至３２Ｎで音楽データを取得可能な複数の転送形式の中で所望の１の転送形式を選択させる際に、これら転送形式によって取得可能データ数が異なることを容易に認識させることができる。
【０２６８】
さらにデータ転送取得システム３０は、転送形式の形式名称６１Ａ及び６１Ｂを、データ取得装置３２Ａ乃至３２Ｎで取得可能データ数が多い順に並べて表示することで、データ取得装置３２Ａ乃至３２Ｎで、再生可能な音楽データをより多く（又はより少なく）取得し得る転送形式を容易に判別させることができる。
【０２６９】
これに加えてデータ転送取得システム３０は、データ転送装置３１により形式選択画面６０の初期表示状態において、取得可能データ数の最も多い１の転送形式の形式名称（すなわち、最多形式名称）６１Ａを強調表示するようにした。
【０２７０】
従ってデータ転送取得システム３０は、形式選択画面６０内で、取得可能データ数の最も多い１の転送形式の形式名称６１Ａを、他の形式名称６１Ｂよりも格段的に目立たせることができる。
【０２７１】
またデータ転送取得システム３０は、形式選択画面６０の初期表示状態において、取得可能データ数の最も多い１の転送形式の形式名称６１Ａをすでに強調表示し選択対象として指示した状態にしていることで、選択対象として指示する形式名称６１Ａ及び６１Ｂを切り替えさるような操作を何らさせることなく、データ取得装置３２Ａ乃至３２Ｎが音楽データを最も多く取得可能な転送形式を容易に選択させることができる。
【０２７２】
さらにデータ転送取得システム３０は、データ転送装置３１において、転送する音楽データを選択させるための転送音楽選択画面７５を表示した際、当該転送音楽選択画面７５を介して選択形式情報６５が示す１の転送形式でデータ取得装置３２Ａ乃至３２Ｎに転送可能な音楽データのみを提示するようにした。
【０２７３】
従ってデータ転送取得システム３０は、データ転送装置３１において、データ取得装置３２Ａ乃至３２Ｎに転送しても再生し得ない音楽データが転送対象として選択されることを未然に回避することができる。
【０２７４】
さらにデータ転送取得システム３０は、データ転送装置３１からデータ取得装置３２Ａ乃至３２Ｎへ音楽データを転送させるために当該データ転送装置３１に対してデータ取得装置３２Ａ乃至３２Ｎが始めて接続されたときに、所望の１の転送形式を選択させて当該選択された１つの転送形式を音楽データの転送に利用するように設定した。
【０２７５】
従ってデータ転送取得システム３０は、データ転送装置３１からデータ取得装置３２Ａ乃至３２Ｎへ音楽データを転送するために利用する１の転送形式を設定せずに、当該データ転送装置３１に対してデータ取得装置３２Ａ乃至３２Ｎが接続される毎に、音楽データの転送に利用する１の転送形式を選択させることを回避することができる。
【０２７６】
さらにデータ転送取得システム３０は、データ転送装置３１においてデータ取得装置３２Ａ乃至３２Ｎへの音楽データの転送に利用する１の転送形式の設定に、データ取得装置３２Ａ乃至３２Ｎで記憶された接続フォーマット情報に含まれる認識使用情報としての装置識別情報６６及び取得側形式情報を利用するようにした。
【０２７７】
従ってデータ転送取得システム３０は、データ取得装置３２Ａ乃至３２Ｎにおいて、特別に装置識別情報６６及び取得側形式情報を用意し、これらを記憶しておくための記憶部や記憶領域を別途用意するようにして、構成が煩雑化することを回避することができる。
【０２７８】
さらにデータ転送取得システム３０は、データ取得装置３２Ａ乃至３２Ｎへの音楽データの転送に利用する１の転送形式を設定しても、ユーザの要求に応じて、当該音楽データの転送に利用する１つの転送形式を変更して設定し直すようにした。
【０２７９】
従ってデータ転送取得システム３０は、例えば、ユーザによるデータ取得装置３２Ａ乃至３２Ｎの使い方が変わり音楽データの転送に利用する１の転送形式を変更するように要望されると、その要望に容易に対処することができる。
【０２８０】
なお上述した第１の実施の形態においては、データ転送装置３１においてデータ取得装置３２Ａ乃至３２Ｎが初めて接続されると、音楽データの転送に利用する１の転送形式を選択させて設定した後、当該データ取得装置３２Ａ乃至３２Ｎへ音楽データを転送するようにした場合について述べたが、本発明はこれに限らず、データ転送装置３１においてデータ取得装置３２Ａ乃至３２Ｎが接続されたときに、音楽データの転送に利用する１の転送形式を選択させて設定する設定処理のみを実行するようにしても良い。
【０２８１】
（３）第２の実施の形態
次いで図１２を用いて、第２の実施の形態によるデータ転送取得システム２００について説明する。
【０２８２】
かかるデータ転送取得システム２００は、例えばオーディオコンポーネント構成のデータ転送装置２０１と、携帯型電話機や携帯型再生装置、携帯型ゲーム機としての複数のデータ取得装置２０２Ａ乃至２０２Ｎとを有している。
【０２８３】
そしてデータ転送取得システム２００では、データ転送装置２０１に対し、接続規格としてのＵＳＢ（Universal  Serial  Bus）規格に準じてＵＳＢケーブルを介して複数のデータ取得装置２０２Ａ乃至２０２Ｎを接続し得るようになされている。
【０２８４】
またデータ転送装置２０１は、上述したような複数の転送形式で音楽データを転送し得るようになされている。
【０２８５】
さらに複数のデータ取得装置２０２Ａ乃至２０２Ｎは、それぞれデータ転送装置２０１で音楽データを転送可能な転送形式と同一な少なくとも何れか２つ以上の転送形式で音楽データを取得し得るようになされている。
【０２８６】
これによりデータ転送装置２０１は、データ取得装置２０２Ａ乃至２０Ｎが接続されると、音楽データを転送して当該データ取得装置２０２Ａ乃至２０２Ｎに取得させ得るようになされている。
【０２８７】
次いで、図１３を用いてデータ転送装置２０１のハードウェア回路ブロックによるハードウェア回路構成について説明する。
【０２８８】
データ転送装置２０１は、筐体表面やリモートコントローラ（図示せず）に設けられた各種操作キーでなる操作入力部２１０がユーザにより操作されると、当該操作入力部２１０でこれを認識し、その操作に応じた操作入力信号を入力処理部２１１に送出する。
【０２８９】
入力処理部２１１は、供給される操作入力信号に対して所定の処理を施すことにより、当該操作入力信号を操作コマンドに変換しバス２１２を介して中央処理ユニット（CPU:Central  Processing  Unit）２１３に送出する。
【０２９０】
中央処理ユニット２１３は、ＲＯＭ（Read  Only  Memory）２１４又はハードディスクドライブ（HDD:Hard  Disc  Drive）２１５に予め記憶された基本プログラムやアプリケーションプログラム等の各種プログラムを、バス２１２を介してＲＡＭ（Random  Access  Memory）２１６に読み出す。
【０２９１】
そして中央処理ユニット２１３は、ＲＡＭ２１６上で展開した各種プログラムに従って全体を制御すると共に、所定の演算処理や、入力処理部２１１から与えられる操作コマンドに応じた各種処理を実行する。
【０２９２】
これにより中央処理ユニット２１３は、ユーザにより操作入力部２１０を介して、音楽データを録音するための操作入力信号が入力されると、メディアドライブ２１７によりＣＤ等のメディアから音楽データを読み出してデータ処理回路２１８に送出する。
【０２９３】
データ処理回路２１８は、メディアドライブ２１７から与えられた音楽データをそのまま、又は圧縮符号化してハードディスクドライブ２１５に送出しハードディスクに記憶する。
【０２９４】
また中央処理ユニット２１３は、ネットワーク通信処理部２１９及びネットワークインタフェース２２０を順次介してネットワークに接続し、当該ネットワーク上のデータ提供装置（図示せず）にアクセスすることができる。
【０２９５】
そして中央処理ユニット２１３は、ユーザにより操作入力部２１０を介して所望の音楽データを購入するための操作入力信号が入力されると、これに応じてデータ提供装置にアクセスし音楽データの購入を要求する。
【０２９６】
その結果、中央処理ユニット２１３は、データ提供装置から音楽データ及び音楽関連情報がネットワークを介して送信されると、その音楽データ及び音楽関連情報をネットワークインタフェース２２０及びネットワーク通信処理部２１９で受信して取り込む。
【０２９７】
そして中央処理ユニット２１３は、かかる音楽データ及び音楽関連情報をハードディスクドライブ２１５に送出してハードディスクに記憶する。
【０２９８】
このようにして中央処理ユニット２１３は、メディアやデータ提供装置を利用して上述したような種々のデータフォーマットの複数の音楽データをハードディスクに記憶し得るようになされている。
【０２９９】
さらに中央処理ユニット２１３は、ユーザにより操作入力部２１０を介してハードディスクドライブ２１５内の音楽データが指定され、当該音楽データを再生するための操作入力信号が入力されると、ハードディスクドライブ２１５から音楽データを読み出す。
【０３００】
そして中央処理ユニット２１３は、その音楽データをデータ処理回路２１８に送出する。データ処理回路２１８は、この際、音楽データに対し復号処理、デジタルアナログ変換処理及び増幅処理等の再生処理を施し、得られた音楽信号をスピーカ２２１に送出する。
【０３０１】
このようにして中央処理ユニット２１３は、スピーカ２２１から音楽信号に基づく音楽を出力してユーザに聴かせることができる。
【０３０２】
さらに中央処理ユニット２１３は、ユーザにより操作入力部２１０を介して、メディアから音楽データを再生するための操作入力信号が入力されると、メディアドライブ２１７によりＣＤ等のメディアから音楽データを読み出してデータ処理回路２１８に送出する。
【０３０３】
データ処理回路２１８は、この際、音楽データに対しデジタルアナログ変換処理及び増幅処理等の再生処理を施し、得られた音楽信号をスピーカ２２１に送出する。
【０３０４】
このようにして中央処理ユニット２１３は、スピーカ２２１から音楽信号に基づく音楽を出力してユーザに聴かせることができる。
【０３０５】
さらに中央処理ユニット２１３は、各種プログラムの実行結果（例えば、音楽データの録音及び再生等）に応じた画面データを生成し、当該生成した画面データを、表示処理部２２２を介してディスプレイ２２３に送出する。
【０３０６】
これにより中央処理ユニット２１３は、ディスプレイ２２３に対し各種プログラムの実行結果に応じた画面を表示する。
【０３０７】
このようにして中央処理ユニット２１３は、ディスプレイ２２３を介して、音楽データの録音及び再生等に関する各種画面をユーザに視認させることができる。
【０３０８】
さらに中央処理ユニット２１３は、データ転送装置２０１に対しデータ取得装置２０２Ａ乃至２０２Ｎが接続されると、ＵＳＢインタフェース２２４を介して、当該データ取得装置２０２Ａ乃至２０２Ｎと通信する。
【０３０９】
そして中央処理ユニット２１３は、そのデータ取得装置２０２Ａ乃至２０ＡＮで記憶されているＵＳＢフォーマットを示す情報（以下、これをＵＳＢフォーマット情報とも呼ぶ）に含まれる種々の認識使用情報を使用して認識処理を実行する。
【０３１０】
その際、中央処理ユニット２１３は、例えばＵＳＢフォーマット情報に含まれるデバイスディスクリプタ（認証使用情報）としてのベンダＩＤ（IDentification）及びプロダクトＩＤを、そのデータ取得装置２０２Ａ乃至２０２Ｎを製品として識別する装置識別情報として利用する。
【０３１１】
因みに中央処理ユニット２１３は、例えばＵＳＢフォーマット情報に含まれるデバイスディスクリプタとしてのベンダＩＤ及びプロダクトＩＤとインタフェースディスクリプタ（認識使用情報）としての数値とを組み合せて、データ取得装置２０２Ａ乃至２０２Ｎを個別に識別する装置識別情報として利用することもできる。
【０３１２】
また中央処理ユニット２１３は、ＵＳＢフォーマット情報に含まれる転送フォーマットに関する情報を取得側形式情報として利用する。
【０３１３】
そして中央処理ユニット２１３は、データ転送装置２０１にデータ取得装置２０２Ａ乃至２０２Ｎが始めて接続されたときには、取得側形式情報をもとに、データ取得装置２０２Ａ乃至２０２Ｎで音楽データを取得可能な複数の転送形式を判別する。
【０３１４】
また中央処理ユニット２１３は、これら複数の転送形式の判別結果をもとに、当該転送形式を示す形式名称をディスプレイ２２３に表示してユーザに対し操作入力部２１０を介して所望の１の転送形式を選択させる。
【０３１５】
これにより中央処理ユニット２１３は、ユーザにより選択された１の転送形式を示す選択形式情報を装置識別情報と対応付けて形式設定情報としてバードディスクドライブ２１５に送出しハードディスクに記憶する。
【０３１６】
さらに中央処理ユニット２１３は、ハードディスクドライブ２１５から音楽データを読み出し選択形式情報が示す１の転送形式でＵＳＢインタフェース２２４によりデータ取得装置２０２Ａ乃至２０２Ｎに転送する。
【０３１７】
一方、中央処理ユニット２１３は、転送形式の設定以降にデータ転送装置２０１に対しデータ取得装置２０２Ａ乃至２０２Ｎが接続されると、当該データ取得装置２０２Ａ乃至２０２Ｎから認識処理の一環として装置識別情報を取得する。
【０３１８】
そして中央処理ユニット２１３は、ハードディスクドライブ２１５から音楽データを読み出し、その装置識別情報に対応する選択形式情報が示す１の転送形式でＵＳＢインタフェース２２４によりデータ取得装置２０２Ａ乃至２０２Ｎに転送する。
【０３１９】
このようにして中央処理ユニット２１３は、データ取得装置２０２Ａ乃至２０２Ｎへ音楽データを所望の１の転送形式で転送して取得させることができる。
【０３２０】
次いで、図１４を用いて、例えば携帯型電話機としてのデータ取得装置２０２Ａのハードウェア回路ブロックによるハードウェア回路構成について説明する。
【０３２１】
かかるデータ取得装置２０２Ａは、筐体表面に設けられた各種操作キーでなる操作入力部２３０がユーザにより操作されると、当該操作入力部２３０でこれを認識し、その操作に応じた操作入力信号を入力処理部２３１に送出する。
【０３２２】
入力処理部２３１は、供給される操作入力信号に対して所定の処理を施すことにより、当該操作入力信号を操作コマンドに変換しバス２３２を介して中央処理ユニット２３３に送出する。
【０３２３】
中央処理ユニット２３３は、ＲＯＭ２３４に予め記憶された基本プログラムやアプリケーションプログラム等の各種プログラムを、バス２３２を介してＲＡＭ２３５に読み出す。
【０３２４】
そして中央処理ユニット２３３は、ＲＡＭ２３５上で展開した各種プログラムに従って全体を制御すると共に、所定の演算処理や、入力処理部２３１から与えられる操作コマンドに応じた各種処理を実行する。
【０３２５】
これにより中央処理ユニット２３３は、通話モード時、マイクロホン２３６でユーザの音声を集音して得られた送信音声信号を音声コーデック２３７によって音声データに変換する。
【０３２６】
そして中央処理ユニット２３３は、音声コーデック２３７によって得られた音声データに変復調回路部２３８でスペクトラム拡散処理を施した後、送受信回路部２３９でデジタルアナログ変換処理及び周波数変換処理を順次施す。
【０３２７】
このようにして中央処理ユニット２３３は、送受信回路部２３９により得られた送信音声用の送信信号をアンテナ２４０から公衆電話回線網の基地局（図示せず）に送信する。
【０３２８】
このとき中央処理ユニット２３３は、アンテナ２４０で受信した受信音声用の受信信号を送受信回路部２３９で増幅して周波数変換処理及びアナログデジタル変換処理を順次施した後に変復調回路部２３８でスペクトラム逆拡散処理を施す。
【０３２９】
このようにして中央処理ユニット２３３は、変復調回路部２３８により得られた音声データを音声コーデック２３７に送出する。
【０３３０】
そして中央処理ユニット２３３は、音声コーデック２３７によって音声データを受信音声信号に変換してスピーカ２４１に送出し、かくしてスピーカ２４１から受信音声信号に基づく相手の音声を放音させる。このようにして中央処理ユニット２３３は、ユーザと相手との音声通話を成立させる。
【０３３１】
また中央処理ユニット２３３は、データ通信モード時、例えば表示処理部２４２を介してディスプレイ２４３に表示した画面上で購入対象の音楽データが指定されると、その音楽データの購入を要求する音楽購入要求データを生成する。
【０３３２】
そして中央処理ユニット２３３は、その音楽購入要求データに対し変復調回路部２３８でスペクトラム拡散処理を施した後、送受信回路部２３９でデジタルアナログ変換処理及び周波数変換処理を順次施す
【０３３３】
このようにして中央処理ユニット２３３は、送受信回路部２３９により得られた送信信号をアンテナ２４０から基地局経由でネットワーク上のデータ提供装置に送信する。
【０３３４】
その結果、中央処理ユニット２３３は、データ提供装置から基地局経由で送信された音楽データの受信信号をアンテナ２４０で受信すると、その受信信号を送受信回路部２３９によって増幅して周波数変換処理及びアナログデジタル変換処理を順次施した後に変復調回路部２３８によってスペクトラム逆拡散処理を施す。
【０３３５】
このようにして中央処理ユニット２３３は、変復調回路部２３８により得られた音楽データを、メディアインタフェース２４４を介して、着脱可能な半導体メモリのようなメディア２４５に送出して記憶し、又は装置内蔵の半導体メモリ（以下、これを内蔵メモリとも呼ぶ）２４６に送出して記憶する。
【０３３６】
これにより中央処理ユニット２３３は、この後、ユーザにより操作入力部２４０を介して再生命令が入力されると、メディアインタフェース２４４を介してメディア２４５から、又は内蔵メモリ２４６から音楽データを読み出して音声コーデック２３７に送出する。
【０３３７】
そして中央処理ユニット２３３は、音声コーデック２３７によって音楽データを音楽信号に変換してスピーカ２４１（又は、図示しないヘッドホン）に送出し、かくしてスピーカ２４１（又は、ヘッドホン）から音楽信号に基づく音楽を放音させてユーザに聴かせることができる。
【０３３８】
さらに中央処理ユニット２３３は、データ取得装置２０２Ａがデータ転送装置２０１に接続されると、ＵＳＢインタフェース２４７を介して通信する。
【０３３９】
そして中央処理ユニット２３３は、データ転送装置２０１からの要求に応じて、ＵＳＢフォーマット情報を記憶したＲＯＭ２４３から認識使用情報や装置識別情報、取得側形式情報を読み出してＵＳＢインタフェース２４７によりデータ転送装置２０１に送信する。
【０３４０】
これにより中央処理ユニット２３３は、データ転送装置２０１において、音楽データの転送に利用する１の転送形式を設定させることができる。
【０３４１】
また中央処理ユニット２３３は、データ転送装置２０１から音楽データが選択形式情報が示す転送形式で転送されると、その音楽データをＵＳＢインタフェース２４７により受信して取り込む。
【０３４２】
そして中央処理ユニット２３３は、その音楽データを、メディアインタフェース２４４を介してメディア２４５に送出して記憶し、又は内蔵メモリ２４６に送出して記憶する。
【０３４３】
これにより中央処理ユニット２３３は、この後、ユーザにより操作入力部２４０を介して再生命令が入力されると、メディアインタフェース２４４を介してメディア２４５から、又は内蔵メモリ２４６から音楽データを読み出して音声コーデック２３７に送出する。
【０３４４】
そして中央処理ユニット２３３は、音声コーデック２３７によって音楽データを音楽信号に変換してスピーカ２４１（又は、図示しないヘッドホン）に送出し、かくしてスピーカ２４１（又は、ヘッドホン）から音楽信号に基づく音楽を放音させてユーザに聴かせることができる。
【０３４５】
なお、この第２の実施の形態の場合、携帯型電話機としてのデータ取得装置２０２Ａは、転送される音楽データを記憶する媒体としてメディア２４５と、内蔵メモリ２４６との２つが設けられている。
【０３４６】
そしてデータ取得装置２０２Ａでは、例えば、音楽データを取得可能な転送形式として２つの転送形式を利用する場合、一方の転送形式で転送される音楽データをメディア２４５に記憶し、他方の転送形式で転送される音楽データを内蔵メモリ２４６に記憶するようにしている。
【０３４７】
よってデータ取得装置２０２Ａでは、音楽データを取得可能な１の転送形式が選択されることで、データ転送装置２０１から転送される音楽データを記憶する媒体も合わせて選択させている。
【０３４８】
これによりデータ取得装置２０２Ａでは、データ転送装置２０１から転送されて取得した音楽データを再生する際、メディア２４５及び内蔵メモリ２４６の両方にまたがって再生対象の音楽データを検索させるような煩雑な操作を何ら行わせることなく、当該音楽データを容易に検索させることができる。
【０３４９】
ただしデータ取得装置２０２Ａでは、音楽データを取得可能な複数の転送形式の何れが選択された場合でも、予めメディア２４５及び内蔵メモリ２４６の何れか一方にのみ、転送された音楽データを記憶するように設定しておくこともできる。
【０３５０】
ところで携帯型再生装置や携帯型ゲーム機としてのデータ取得装置２０２Ｂ乃至２０２Ｎの回路構成については、携帯型電話機としてのデータ取得装置２０２Ａの回路構成から当該携帯型電話機の機能に特化した変復調回路部２３８や送受信回路部２３９、アンテナ１４０を除くと、基本的にはほぼ同様な回路構成となる。
【０３５１】
このため携帯型再生装置や携帯型ゲーム機としてのデータ取得装置２０２Ｂ乃至２０２Ｎの回路構成については、説明を省略する。
【０３５２】
ただし携帯型再生装置や携帯型ゲーム機としてのデータ取得装置２０２Ｂ乃至２０２Ｎの回路構成についても、携帯型電話機としてのデータ取得装置２０２Ａと同様に、転送される音楽データを記憶する媒体としては、１つだけ設けることもできるし、音楽データを取得可能な転送形式毎に設けることもできる。
【０３５３】
そして携帯型再生装置や携帯型ゲーム機としてのデータ取得装置２０２Ｂ乃至２０２Ｎの回路構成では、転送される音楽データを記憶する媒体として、ハードディスクドライブや内蔵型の半導体メモリ、また着脱可能な半導体メモリのようなメディアの何れも適用することができる。
【０３５４】
ところでデータ転送装置２０１は、上述したように基本的には中央処理ユニット２１３がＲＯＭ２１４又はハードディスクドライブ２１５に記憶された各種プログラムに従って各種処理を実行すると共に各ハードウェアを制御している。
【０３５５】
よってデータ転送装置２０１では、図３について上述した機能回路ブロックによるハードウェア回路構成のデータ転送装置３１の機能に応じて、ＲＯＭ２１４又はハードディスクドライブ２１５に記憶させる各種プログラムを適宜選定する。
【０３５６】
すなわち、データ転送装置２０１では、ＲＯＭ２１４又はハードディスクドライブ２１５に記憶させる各種プログラムを、上述したデータ転送処理手順ＲＴ１を実行させるためのデータ転送プログラムのように適宜選定する。
【０３５７】
これによりデータ転送装置２０１は、図３について上述したデータ転送装置３１と同様に機能することができる。
【０３５８】
実際にデータ転送装置２０１では、中央処理ユニット２１３を、上述した制御部４０と同様に機能させることができる。
【０３５９】
またデータ転送装置２０１では、操作入力部２１０及び入力処理部２１１を、上述した操作部４１と同様に機能させることができる。
【０３６０】
さらにデータ転送装置２０１では、ハードディスクドライブ２１５を、上述したデータ記憶部４３、設定情報記憶部４７及びリスト記憶部４８と同様に機能させることができる。
【０３６１】
さらにデータ転送装置２０１では、メディアドライブ２１７、データ処理回路２１８及びスピーカ２２１を、上述した再生部４２と同様に機能させることができる。
【０３６２】
さらにデータ転送装置２０１では、ネットワーク通信処理部２１９及びネットワークインタフェース２２０を、上述したネットワーク通信部４４と同様に機能させることができる。
【０３６３】
さらにデータ転送装置２０１では、表示処理部２２２及びディスプレイ２２３を、上述した表示部４５と同様に機能させることができる。
【０３６４】
さらにデータ転送装置２０１では、ＵＳＢインタフェース２２４を、上述した転送側通信部４６と同様に機能させることができる。
【０３６５】
従ってデータ転送装置２０１は、図３について上述したデータ転送装置３１と同様に上述したデータ転送処理手順ＲＴ１を実行することができる。
【０３６６】
よってデータ転送装置２０１は、上述した第１の実施の形態によるデータ転送装置３１と同様の効果を得ることができる。
【０３６７】
因みにデータ転送装置２０１では、ＲＯＭ２１４又はハードディスクドライブ２１５に対し予めデータ転送プログラムを記憶していても良い。
【０３６８】
またデータ転送装置２０１では、データ転送プログラムが記録されたコンピュータ読取可能な記録媒体によって当該データ転送プログラムをインストールするようにしても良い。
【０３６９】
さらにデータ転送装置２０１では、ローカルエリアネットワークやインターネット、デジタル衛星放送等の有線及び無線通信媒体を利用して外部からデータ転送プログラムをインストールするようにしても良い。
【０３７０】
そしてデータ転送プログラムをデータ転送装置２０１にインストールして実行可能な状態にするためのコンピュータ読取可能な記録媒体としては、例えばフレキシブルディスクのようなパッケージメディアで実現しても良い。
【０３７１】
またデータ転送プログラムをデータ転送装置２０１にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０３７２】
さらにデータ転送プログラムをデータ転送装置２０１にインストールして実行可能な状態にするためのコンピュータ読取可能な記録媒体としては、ＤＶＤ（Digital  Versatile  Disc）等のパッケージメディアで実現しても良い。
【０３７３】
さらに、かかるコンピュータ読取可能な記録媒体としては、パッケージメディアのみならず、各種プログラムが一時的もしくは永続的に記録される半導体メモリや磁気ディスク等で実現しても良い。
【０３７４】
また、これらコンピュータ読取可能な記録媒体にデータ転送プログラムを記録する手段としては、ローカルエリアネットワークやインターネット、デジタル衛星放送等の有線及び無線通信媒体を利用しても良い。
【０３７５】
さらにコンピュータ読取可能な記録媒体にデータ転送プログラムを記録する手段としては、ルータやモデム等の各種通信インタフェースを介して記録するようにしても良い。
【０３７６】
これに対してデータ取得装置２０２Ａ乃至２０２Ｎでは、図１０について上述した機能回路ブロックによるハードウェア回路構成のデータ取得装置３２Ａ乃至３２Ｎの機能に応じて、ＲＯＭ２３４に記憶させる各種プログラムを適宜選定する。
【０３７７】
すなわちデータ取得装置２０２Ａ乃至２０２Ｎでは、ＲＯＭ２３４に記憶させる各種プログラムを上述したデータ取得処理手順ＲＴ２を実行させるためのデータ取得プログラムのように適宜選定する。
【０３７８】
これによりデータ取得装置２０２Ａ乃至２０２Ｎは、図１０について上述したデータ取得装置３２Ａ乃至３２Ｎと同様に機能することができる。
【０３７９】
実際にデータ取得装置２０２Ａ乃至２０２Ｎでは、中央処理ユニット２３３を、上述した制御部９０と同様に機能させることができる。
【０３８０】
またデータ取得装置２０２Ａ乃至２０２Ｎでは、操作入力部２３０及び入力処理部２３１を、上述した操作部９４と同様に機能させることができる。
【０３８１】
さらにデータ取得装置２０２Ａ乃至２０２Ｎでは、ＲＯＭ２３４を、上述した情報記憶部９２と同様に機能させることができる。
【０３８２】
さらにデータ取得装置２０２Ａ乃至２０２Ｎでは、音声コーデック２３７及びスピーカ２４１を、上述した再生部９６と同様に機能させることができる。
【０３８３】
さらにデータ取得装置２０２Ａ乃至２０２Ｎでは、表示処理部２４２及びディスプレイ２４３を、上述した表示部９５と同様に機能させることができる。
【０３８４】
さらにデータ取得装置２０２Ａ乃至２０２Ｎでは、メディアインタフェース２４４、メディア２４５及び内蔵メモリ２４７を、上述したデータ記憶部９３と同様に機能させることができる。
【０３８５】
さらにデータ取得装置２０２Ａ乃至２０２Ｎでは、ＵＳＢインタフェース２４７を、上述した取得側通信部９１と同様に機能させることができる。
【０３８６】
従ってデータ取得装置２０２Ａ乃至２０２Ｎは、図１０について上述したデータ取得装置３２Ａ乃至３２Ｎと同様にデータ取得処理理手順ＲＴ２を実行することができる。
【０３８７】
よってデータ取得装置２０２Ａ乃至２０２Ｎは、上述した第１の実施の形態によるデータ取得装置３２Ａ乃至３２Ｎと同様の効果を得ることができる。
【０３８８】
因みにデータ取得装置２０２Ａ乃至２０２Ｎでは、ＲＯＭ２３４に対し予めデータ取得プログラムを記憶していても良い。
【０３８９】
またデータ取得装置２０２Ａ乃至２０２Ｎでは、データ取得プログラムが記録されたコンピュータ読取可能な記録媒体によって当該データ取得プログラムをインストールするようにしても良い。
【０３９０】
さらにデータ取得装置２０２Ａ乃至２０２Ｎでは、ローカルエリアネットワークやインターネット、デジタル衛星放送等の有線及び無線通信媒体を利用して外部からデータ取得プログラムをインストールするようにしても良い。
【０３９１】
そしてデータ取得プログラムをデータ取得装置２０２Ａ乃至２０２Ｎにインストールして実行可能な状態にするためのコンピュータ読取可能な記録媒体としては、例えばフレキシブルディスクのようなパッケージメディアで実現しても良い。
【０３９２】
またデータ取得プログラムをデータ取得装置２０２Ａ乃至２０２Ｎにインストールして実行可能な状態にするためのコンピュータ読取可能な記録媒体としては、ＣＤ−ＲＯＭやＤＶＤ等のパッケージメディアで実現しても良い。
【０３９３】
さらに、かかるコンピュータ読取可能な記録媒体としては、パッケージメディアのみならず、各種プログラムが一時的もしくは永続的に記録される半導体メモリや磁気ディスク等で実現しても良い。
【０３９４】
また、これらコンピュータ読取可能な記録媒体にデータ取得プログラムを記録する手段としては、ローカルエリアネットワークやインターネット、デジタル衛星放送等の有線及び無線通信媒体を利用しても良い。
【０３９５】
さらにコンピュータ読取可能な記録媒体にデータ取得プログラムを記録する手段としては、ルータやモデム等の各種通信インタフェースを介して記録するようにしても良い。
【０３９６】
（４）他の実施の形態
なお上述した第１及び第２の実施の形態においては、本発明で利用するコンテンツデータとして、図１乃至図１４について上述した音楽データを適用するようにした場合について述べたが、本発明はこれに限らず、動画像データや静止画像データ（例えば、写真画像データ）、テキストデータやプログラムデータ等のように、この他種々のコンテンツデータを広く適用することができる。
【０３９７】
また上述した第１及び第２の実施の形態においては、データ取得装置を識別可能な装置識別情報として、図１乃至図１４について上述した接続フォーマット情報又はＵＳＢフォーマット情報に含まれる装置識別情報を適用するようにした場合について述べたが、本発明はこれに限らず、データ取得装置の製造メーカにより発行された専用の装置識別情報のように、この他種々の装置識別情報を広く適用することができる。
【０３９８】
さらに上述した第１及び第２の実施の形態においては、コンテンツデータを取得可能な複数の転送形式を示す取得側形式情報として、図１乃至図１４について上述した接続フォーマット情報又はＵＳＢフォーマット情報に含まれる取得側形式情報を適用するようにした場合について述べたが、本発明はこれに限らず、データ取得装置の製造メーカにより生成された専用の取得側形式情報のように、この他種々の取得側形式情報を広く適用することができる。
【０３９９】
さらに上述した第１及び第２の実施の形態においては、装置識別情報を記憶する識別情報記憶部、及びコンテンツデータを取得可能な複数の転送形式を示す取得側形式情報を記憶する形式情報記憶部として、図１乃至図１４について上述した識別情報記憶部１１、形式情報記憶部１２、情報記憶部９２、ＲＯＭ２３４を適用するようにした場合について述べたが、本発明はこれに限らず、これら装置識別情報及び取得側形式情報をまとめて記憶するハードディスクドライブや、当該装置識別情報と取得側形式情報とを別々に記憶する半導体メモリやハードディスクドライブのように、種々の識別情報記憶部及び形式情報記憶部を広く適用することができる。
【０４００】
さらに上述した第１及び第２の実施の形態においては、本発明によるデータ転送取得システムを、図１乃至図１４について上述したデータ転送取得システム１、３０及び２００に適用するようにした場合について述べたが、本発明はこれに限らず、パーソナルコンピュータやＰＤＡ（Personal  Digital  Assistance）等の情報処理装置、ハードディスクレコーダ等の記録再生装置を有するデータ転送取得システム等のように、この他種々の構成のデータ転送取得システムに広く適用することができる。
【０４０１】
さらに上述した第１及び第２の実施の形態においては、本発明によるデータ転送装置を、図１乃至図１４について上述したデータ転送装置２、３１及び２０１に適用するようにした場合について述べたが、本発明はこれに限らず、パーソナルコンピュータや携帯電話機、ＰＤＡ、ゲーム機器等の情報処理装置、ハードディスクレコーダ等の記録再生装置等のように、この他種々の構成のデータ転送装置に広く適用することができる。
【０４０２】
さらに上述した第１及び第２の実施の形態においては、本発明によるデータ取得装置を、図１乃至図１４について上述した携帯型電話機や携帯型再生装置、携帯型ゲーム機でなるデータ取得装置３、３２Ａ乃至３２Ｎ及び２０２Ａ乃至２０２Ｎに適用するようにした場合について述べたが、本発明はこれに限らず、パーソナルコンピュータやＰＤＡ等の情報処理装置、ハードディスクレコーダ等の記録再生装置等のように、この他種々の構成のデータ取得装置に広く適用することができる。
【産業上の利用可能性】
【０４０３】
本発明は、音楽再生装置等のデータ転送装置と、携帯型電話機や携帯型再生装置、携帯型ゲーム機等のデータ取得装置とから構築されるデータ転送取得システムに利用することができる。
【図面の簡単な説明】
【０４０４】
【図１】本発明によるデータ転送取得システムの概要を示すブロック図である。
【図２】第１の実施の形態によるデータ転送取得システムの構成を示すブロック図である。
【図３】データ転送装置の機能回路ブロックによるハードウェア回路構成を示すブロック図である。
【図４】再生画面の構成を示す略線図である。
【図５】形式選択画面の構成を示す略線図である。
【図６】形式設定情報の構成を示す略線図である。
【図７】形式リストの構成を示す略線図である。
【図８】転送音楽選択画面の構成を示す略線図である。
【図９】転送状況通知画面の構成を示す略線図である。
【図１０】データ取得装置の機能回路ブロックによるハードウェア回路構成を示すブロック図である。
【図１１】データ転送取得処理手順を示すフローチャートである。
【図１２】第２の実施の形態によるデータ転送取得システムの構成を示すブロック図である。
【図１３】データ転送装置のハードウェア回路ブロックによるハードウェア回路構成を示すブロック図である。
【図１４】データ取得装置のハードウェア回路ブロックによるハードウェア回路構成を示すブロック図である。
【符号の説明】
【０４０５】
１、３０、２００……データ転送取得システム、２、３１、２０１……データ転送装置、３、３２Ａ乃至３２Ｎ、２０２Ａ乃至２０２Ｎ……データ取得装置、１０……取得側データ記憶部、１１……識別情報記憶部、１２……形式情報記憶部、１３、９１……取得側通信部、１４……取得側制御部、１５……転送側データ記憶部、１６……選択部、１７、４７……設定情報記憶部、１８、４６……転送側通信部、１９……転送側制御部、４０、９０……制御部、４３、９３……データ記憶部、４５……表示部、４８……リスト記憶部、６０……形式選択画面、６１Ａ、６１Ｂ……形式名称、６５……選択形式情報、６６……装置識別情報、６７……形式設定情報、７０……形式リスト、７５……転送音楽選択画面、９２……情報記憶部、９４……操作部、９６……再生部、２１０……操作入力部、２１１……入力処理部、２１３、２２３……中央処理ユニット、２１５……ハードディスクドライブ、２２２……表示処理部、２２３……ディスプレイ、２２４、２４７……ＵＳＢインタフェース、２３４……ＲＯＭ、２４４……メディアインタフェース、２４５……メディア、２４６……内蔵メモリ、ＲＴ１……データ転送処理手順、ＲＴ２……データ取得処理手順。
【図１】
2009069916.tif 000003
【図２】
2009069916.tif 000004
【図３】
2009069916.tif 000005
【図４】
2009069916.tif 000006
【図５】
2009069916.tif 000007
【図６】
2009069916.tif 000008
【図７】
2009069916.tif 000009
【図８】
2009069916.tif 000010
【図９】
2009069916.tif 000011
【図１０】
2009069916.tif 000012
【図１１】
2009069916.tif 000013
【図１２】
2009069916.tif 000014
【図１３】
2009069916.tif 000015
【図１４】
2009069916.tif 000016